(57)【特許請求の範囲】
【請求項１】
複数のアンテナを備えるワイヤレスデバイスにおけるワイヤレス通信の方法であって、
前記ワイヤレスデバイスのワイヤレスローカルエリアネットワーク（ＷＬＡＮ）モデムにおいて、前記ワイヤレスデバイスのセルラモデムからＷＬＡＮスキャニングパラメータを受信することと、ここにおいて、前記ＷＬＡＮモデムは、ＷＬＡＮネットワークに関連し、前記セルラモデムは、セルラネットワークに関連し、
前記ＷＬＡＮスキャニングパラメータに少なくとも部分的に基づいて、前記ＷＬＡＮモデムと前記セルラモデムとの間の前記複数のアンテナの配分を修正することと、ここにおいて、前記ＷＬＡＮスキャニングパラメータは、前記ＷＬＡＮモデムによる前のＷＬＡＮスキャンに関連するデューティーサイクルを備え、
前記ＷＬＡＮモデムによって、前記複数のアンテナの前記配分に少なくとも部分的に基づいて、前記ＷＬＡＮモデムおよび前記セルラモデムによって共有された帯域中のチャネル上でＷＬＡＮスキャンを行うことと
を備える、方法。
【請求項２】
前記ＷＬＡＮモデムと前記セルラモデムとの間の前記複数のアンテナの前記配分を修正することは、
前記ＷＬＡＮスキャンのためにダイバーシティアンテナチューンアウェイを行うこと
を備える、請求項１に記載の方法。
【請求項３】
前記セルラモデムにおいて前記ＷＬＡＮモデムの状態を決定することと、
前記セルラモデムによって、前記ＷＬＡＮモデムの前記状態に少なくとも部分的に基づいて、前記ＷＬＡＮスキャニングパラメータを前記ＷＬＡＮモデムに送信することと
をさらに備える、請求項１に記載の方法。
【請求項４】
前記ＷＬＡＮスキャニングパラメータは、前記ＷＬＡＮスキャンの開始時間および持続期間のインディケーションを備える、請求項１に記載の方法。
【請求項５】
前記ＷＬＡＮモデムによる前記前のＷＬＡＮスキャンに少なくとも部分的に基づいて、前記セルラモデムにおいて前記デューティーサイクルを決定すること
をさらに備える、請求項１に記載の方法。
【請求項６】
前記デューティーサイクルは、第１の期間と第２の期間とを示し、前記ＷＬＡＮモデムと前記セルラモデムとの間の前記複数のアンテナの前記配分を修正することは、
前記複数のアンテナのサブセットを、前記第１の期間中に前記ＷＬＡＮモデムに結合し、前記第２の期間中に前記セルラモデムに結合すること
を備える、請求項１に記載の方法。
【請求項７】
前記ＷＬＡＮスキャンを行うことは、前記ＷＬＡＮスキャンの持続期間が前記第１の期間よりも短いとの前記ＷＬＡＮモデムによる決定に少なくとも部分的に基づく、請求項６に記載の方法。
【請求項８】
前記複数のアンテナの前記配分を修正することは、
前記複数のアンテナの前記サブセットを、前記第１の期間中に前記セルラモデムから切り離すことを備え、
前記複数のアンテナの前記配分を修正することは、
前記複数のアンテナの前記サブセットを、前記第２の期間中に前記ＷＬＡＮモデムから切り離すことを備える、
請求項６に記載の方法。
【請求項９】
複数のアンテナを備えるワイヤレスデバイスにおけるワイヤレス通信のための装置であって、
プロセッサと、
前記プロセッサと電気通信するメモリと、
前記メモリ内に記憶され、および前記プロセッサによって実行されると、前記装置に、
前記ワイヤレスデバイスのワイヤレスローカルエリアネットワーク（ＷＬＡＮ）モデムにおいて、前記ワイヤレスデバイスのセルラモデムからＷＬＡＮスキャニングパラメータを受信することと、ここにおいて、前記ＷＬＡＮモデムは、ＷＬＡＮネットワークに関連し、前記セルラモデムは、セルラネットワークに関連し、
前記ＷＬＡＮスキャニングパラメータに少なくとも部分的に基づいて、前記ＷＬＡＮモデムと前記セルラモデムとの間の前記複数のアンテナの配分を修正することと、ここにおいて、前記ＷＬＡＮスキャニングパラメータは、前記ＷＬＡＮモデムによる前のＷＬＡＮスキャンに関連するデューティーサイクルを備え、
前記ＷＬＡＮモデムによって、前記複数のアンテナの前記配分に少なくとも部分的に基づいて、前記ＷＬＡＮモデムおよび前記セルラモデムによって共有された帯域中のチャネル上でＷＬＡＮスキャンを行うことと
を行わせるように動作可能である命令と
を備える、装置。
【請求項１０】
前記ＷＬＡＮモデムと前記セルラモデムとの間の前記複数のアンテナの前記配分を修正することは、
前記ＷＬＡＮスキャンのためにダイバーシティアンテナチューンアウェイを行うこと
を備える、請求項９に記載の装置。
【請求項１１】
前記命令は、前記プロセッサに、
前記セルラモデムにおいて前記ＷＬＡＮモデムの状態を決定することと、
前記セルラモデムによって、前記ＷＬＡＮモデムの前記状態に少なくとも部分的に基づいて、前記ＷＬＡＮスキャニングパラメータを前記ＷＬＡＮモデムに送信することと
を行わせるように動作可能である、請求項９に記載の装置。
【請求項１２】
前記ＷＬＡＮスキャニングパラメータは、前記ＷＬＡＮスキャンの開始時間および持続期間のインディケーションをさらに備える、請求項９に記載の装置。
【発明の詳細な説明】
【関連出願の相互参照】
【０００１】
[0001]  本特許出願は、２０１５年６月２９日に出願された「Coexistence Over a Shared Channel with Dual Antenna Sharing」と題された、Ｌｅｅ他による米国仮特許出願第６２／１８６，２６７号、および２０１６年６月２８日に出願された、「Coexistence Over a Shared Band with Dual Antenna Sharing」と題された、Ｌｅｅ他による米国特許出願第１５／１９５，７２１号の優先権を主張し、それらの各々は、本願の譲受人に譲渡される。
【技術分野】
【０００２】
[0002]  本開示は、例えば、ワイヤレス通信システム（wireless communication system）に関し、より具体的には、マルチモードワイヤレスデバイス（multi-mode wireless device）において共存するＲＡＴ間のアンテナ共有（antenna sharing）を管理（manage）するための技法に関する。
【背景技術】
【０００３】
[0003]  ワイヤレス通信システムは、音声、映像、パケットデータ、メッセージング、ブロードキャストなどのような様々なタイプの通信コンテンツを提供するために広く展開されている。これらのシステムは、利用可能なシステムリソース（例えば、時間、周波数、および電力）を共有（share）することによって複数のユーザとの通信をサポートすることが可能な多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムを含む。
【０００４】
[0004]  いくつかのワイヤレスデバイス（wireless device）は、複数の無線アクセス技術（ＲＡＴ：radio access technology）を使用して通信することが可能である。例えば、ワイヤレスデバイスは、共存するセルラモデム（cellular modem）およびワイヤレスローカルエリアネットワーク（ＷＬＡＮ：wireless local area network）モデム（modem）を有し得る。セルラネットワークおよびＷＬＡＮのある特定のタイプは、無認可帯域（unlicensed band）のような、同じ共有無線周波数スペクトル帯域（same shared radio frequency spectrum band）にわたって動作（operate）することが可能である。ワイヤレスデバイスが、同じ帯域（band）上のセルラ動作（cellular operation）およびＷＬＡＮ動作の両方をサポートするとき、そのセルラネットワーク上の動作は、ＷＬＡＮネットワーク上の動作を潜在的に中断させ（potentially disrupt）、その逆もまた同様に行われ得る。
【発明の概要】
【０００５】
[0005]  本開示は、同じ帯域上で動作する、共存するＲＡＴ間のマルチモードワイヤレスデバイス上のアンテナ共有を管理するための技法を提供する。マルチモードワイヤレスデバイスは、複数のアンテナ（antenna）を有し得、そのうちの少なくともいくつかは、セルラモデムとＷＬＡＮモデムとの間で共有され得る。ＷＬＡＮ機能がオフにされるかまたは切断され、セルラ接続が構成されるとき、セルラモデムは、共有アンテナ（shared antenna）のすべてに接続され得る。セルラモデムが共有アンテナに接続されている間に、ＷＬＡＮモデムまたはデバイス上で起動しているアプリケーション（application）が共有帯域（shared band）中のチャネル（channel）上でＷＬＡＮスキャン（WLAN scan）をトリガ（trigger）する場合、共有アンテナのうちの１つまたは複数がセルラモデムから切断され、ＷＬＡＮスキャンを適応（accommodate）させるためにＷＬＡＮモデムに接続される、チューンアウェイプロシージャ（tune-away procedure）が起こり得る。
【０００６】
[0006]  ワイヤレスデバイスのモデム（modem）のうちの１つは、ＷＬＡＮスキャニングパラメータ（WLAN scanning parameter）をモデムのうちのもう一方へと通信し、セルラモデムとＷＬＡＮモデムとの間の共有アンテナの配分（distribution）は、共有帯域中のチャネル上でＷＬＡＮスキャンを適応させるために、通信されたスキャニングパラメータ（scanning parameter）に少なくとも部分的に基づいて修正（modify）され得る。ＷＬＡＮスキャンのためのモデム間での共有アンテナの配分は、追加的にまたは代替的に、検出（detect）されたＷＬＡＮスキャニングトリガ（WLAN scanning trigger）のソース（source）（例えば、そのスキャンがワイヤレスデバイスのアプリケーションによってトリガされるか、またはワイヤレスデバイスのＷＬＡＮモデムによってトリガされるか）に少なくとも部分的に基づいて、選択（select）され得る。
【０００７】
[0007]  ワイヤレス通信（wireless communication）の方法が説明される。方法は、ワイヤレスデバイスの第１のモデムにおいて、ワイヤレスデバイスの第２のモデムからＷＬＡＮスキャニングパラメータを受信することと、ここにおいて、第１のモデムは、第１のＲＡＴに関連し、第２のモデムは、第２のＲＡＴに関連し、ＷＬＡＮスキャニングパラメータに少なくとも部分的に基づいて、第１のモデムと第２のモデムとの間の複数のアンテナの配分を修正することと、複数のアンテナの配分に少なくとも部分的に基づいて、第１のモデムおよび第２のモデムによって共有された帯域中のチャネル上でＷＬＡＮスキャンを行うことと、を含み得る。
【０００８】
[0008]  ワイヤレス通信のための装置（apparatus）が説明される。装置は、ワイヤレスデバイスの第１のモデムにおいて、ワイヤレスデバイスの第２のモデムからＷＬＡＮスキャニングパラメータを受信するための手段と、ここにおいて、第１のモデムは、第１のＲＡＴに関連し、第２のモデムは、第２のＲＡＴに関連し、ＷＬＡＮスキャニングパラメータに少なくとも部分的に基づいて、第１のモデムと第２のモデムとの間の複数のアンテナの配分を修正するための手段と、複数のアンテナの配分に少なくとも部分的に基づいて、第１のモデムおよび第２のモデムによって共有された帯域中のチャネル上でＷＬＡＮスキャンを行うための手段と、を含み得る。
【０００９】
[0009]  ワイヤレス通信のためのさらなる装置が説明される。装置は、プロセッサと、プロセッサと電子通信するメモリと、メモリ内に記憶（store）された命令（instruction）とを含み得、命令は、プロセッサによって実行されると、装置に、ワイヤレスデバイスの第１のモデムにおいて、ワイヤレスデバイスの第２のモデムからＷＬＡＮスキャニングパラメータを受信することと、ここにおいて、第１のモデムは、第１のＲＡＴに関連し、第２のモデムは、第２のＲＡＴに関連し、ＷＬＡＮスキャニングパラメータに少なくとも部分的に基づいて、第１のモデムと第２のモデムとの間の複数のアンテナの配分を修正することと、複数のアンテナの配分に少なくとも部分的に基づいて、第１のモデムおよび第２のモデムによって共有された帯域中のチャネル上でＷＬＡＮスキャンを行うことと、を行わせるように動作可能（operable）である。
【００１０】
[0010]  ワイヤレス通信のためのコード（code）を記憶する非一時的コンピュータ可読媒体（non-transitory computer-readable medium）が説明される。コードは、ワイヤレスデバイスの第１のモデムにおいて、ワイヤレスデバイスの第２のモデムからＷＬＡＮスキャニングパラメータを受信することと、ここにおいて、第１のモデムは、第１のＲＡＴに関連し、第２のモデムは、第２のＲＡＴに関連し、ＷＬＡＮスキャニングパラメータに少なくとも部分的に基づいて、第１のモデムと第２のモデムとの間の複数のアンテナの配分を修正することと、複数のアンテナの配分に少なくとも部分的に基づいて、第１のモデムおよび第２のモデムによって共有された帯域中のチャネル上でＷＬＡＮスキャンを行うことと、を行うように実行可能な命令を含み得る。
【００１１】
[0011]  本明細書で説明される方法、装置、または非一時的コンピュータ可読媒体のいくつかの例では、第１のモデムと第２のモデムとの間の複数のアンテナの配分を修正することは、ＷＬＡＮスキャンのためにダイバーシティアンテナチューンアウェイ（diversity antenna tune-away）を行うことを備える。追加的にまたは代替的に、いくつかの例では、第１のモデムは、ＷＬＡＮモデムを備え、第２のモデムは、セルラモデムを備え、ここにおいて、ＷＬＡＮスキャンは、共有帯域中のチャネル上でＷＬＡＮモデムによって行われる。
【００１２】
[0012]  本明細書で説明される方法、装置、または非一時的コンピュータ可読媒体のいくつかの例は、セルラモデムにおいてＷＬＡＮモデムの状態（state）を決定（determine）することと、セルラモデムによって、ＷＬＡＮモデムの状態に少なくとも部分的に基づいて、ＷＬＡＮスキャニングパラメータをＷＬＡＮモデムに送信することと、を行うための処理、特徴、手段、または命令をさらに含み得る。追加的にまたは代替的に、いくつかの例では、ＷＬＡＮスキャニングパラメータは、ＷＬＡＮスキャンの開始時間（start time）および持続期間（duration）のインディケーション（indication）を備える。
【００１３】
[0013]  本明細書で説明される方法、装置、または非一時的コンピュータ可読媒体のいくつかの例では、ＷＬＡＮスキャニングパラメータは、ＷＬＡＮスキャンに関連するデューティーサイクル（duty cycle）と、複数のアンテナの修正された配分（modified distribution）とを備える。追加的にまたは代替的に、いくつかの例は、ＷＬＡＮモデムによる前のＷＬＡＮスキャンに少なくとも部分的に基づいて、セルラモデムにおいてデューティーサイクルを決定するための処理、特徴、手段、または命令を含み得る。
【００１４】
[0014]  本明細書で説明される方法、装置、または非一時的コンピュータ可読媒体のいくつかの例では、デューティーサイクルは、第１の期間（period）と第２の期間とを示し、第１のモデムと第２のモデムとの間の複数のアンテナの配分を修正することは、複数のアンテナのサブセット（subset）を、第１の期間中にＷＬＡＮモデムに結合（couple）し、第２の期間中にセルラモデムに結合することを備える。追加的にまたは代替的に、いくつかの例は、ＷＬＡＮスキャンの持続期間が第１の期間よりも短いというＷＬＡＮモデムによる決定に少なくとも部分的に基づく、ＷＬＡＮスキャンを行うための処理、特徴、手段、または命令を含み得る。
【００１５】
[0015]  本明細書で説明される方法、装置、または非一時的コンピュータ可読媒体のいくつかの例では、複数のアンテナの配分を修正することは、複数のアンテナのサブセットを、第１の期間中にセルラモデムから切り離す（decouple）ことを備え、複数のアンテナの配分を修正することは、複数のアンテナのサブセットを、第２の期間中にＷＬＡＮモデムから切り離すことを備える。追加的にまたは代替的に、いくつかの例では、第１のモデムは、セルラモデムを備え、第２のモデムは、ＷＬＡＮモデムを備え、ＷＬＡＮスキャンは、共有帯域中のチャネル上でＷＬＡＮモデムによって行われる。
【００１６】
[0016]  本明細書で説明される方法、装置、または非一時的コンピュータ可読媒体のいくつかの例では、ＷＬＡＮスキャニングパラメータは、ＷＬＡＮスキャンの開始時間および持続期間のインディケーションを備える。追加的にまたは代替的に、いくつかの例では、複数のアンテナの配分を修正することは、複数のアンテナのサブセットを、ＷＬＡＮスキャンの示された持続期間の間、ＷＬＡＮモデムに結合することを備える。
【００１７】
[0017]  本明細書で説明される方法、装置、または非一時的コンピュータ可読媒体のいくつかの例は、複数のアンテナのサブセットを、ＷＬＡＮスキャンの示された持続期間の間、セルラモデムから切り離すための処理、特徴、手段、または命令をさらに含み得る。
【００１８】
[0018]  ワイヤレス通信の方法が説明される。方法は、ＷＬＡＮスキャニングトリガを検出することと、検出されたＷＬＡＮスキャニングトリガが、ワイヤレスデバイスのアプリケーションから生じるか、ワイヤレスデバイスのＷＬＡＮモデムから生じる（originate）かに少なくとも部分的に基づいて、ワイヤレスデバイスのセルラモデムとワイヤレスデバイスのＷＬＡＮモデムとの間の複数のアンテナの配分を選択することと、ワイヤレスデバイスのＷＬＡＮモデムを使用して、共有帯域内のチャネル上でＷＬＡＮスキャンを行うことと、を含み得る。
【００１９】
[0019]  ワイヤレス通信のための装置が説明される。装置は、ＷＬＡＮスキャニングトリガを検出するための手段と、検出されたＷＬＡＮスキャニングトリガが、ワイヤレスデバイスのアプリケーションから生じるか、ワイヤレスデバイスのＷＬＡＮモデムから生じるかに少なくとも部分的に基づいて、ワイヤレスデバイスのセルラモデムとワイヤレスデバイスのＷＬＡＮモデムとの間の複数のアンテナの配分を選択するための手段と、ワイヤレスデバイスのＷＬＡＮモデムを使用して、共有帯域内のチャネル上でＷＬＡＮスキャンを行うための手段と、を含み得る。
【００２０】
[0020]  ワイヤレス通信のためのさらなる装置が説明される。装置は、プロセッサと、プロセッサと電子通信するメモリと、メモリ内に記憶された命令とを含み得、命令は、プロセッサによって実行されると、装置に、ＷＬＡＮスキャニングトリガを検出することと、検出されたＷＬＡＮスキャニングトリガが、ワイヤレスデバイスのアプリケーションから生じるか、ワイヤレスデバイスのＷＬＡＮモデムから生じるかに少なくとも部分的に基づいて、ワイヤレスデバイスのセルラモデムとワイヤレスデバイスのＷＬＡＮモデムとの間の複数のアンテナの配分を選択することと、ワイヤレスデバイスのＷＬＡＮモデムを使用して、共有帯域内のチャネル上でＷＬＡＮスキャンを行うことと、を行わせるように動作可能である。
【００２１】
[0021]  ワイヤレス通信のためのコードを記憶する非一時的コンピュータ可読媒体が説明される。コードは、ＷＬＡＮスキャニングトリガを検出することと、検出されたＷＬＡＮスキャニングトリガが、ワイヤレスデバイスのアプリケーションから生じるか、ワイヤレスデバイスのＷＬＡＮモデムから生じるかに少なくとも部分的に基づいて、ワイヤレスデバイスのセルラモデムとワイヤレスデバイスのＷＬＡＮモデムとの間の複数のアンテナの配分を選択することと、ワイヤレスデバイスのＷＬＡＮモデムを使用して、共有帯域内のチャネル上でＷＬＡＮスキャンを行うことと、を行うように実行可能な命令を含み得る。
【００２２】
[0022]  本明細書で説明される方法、装置、または非一時的コンピュータ可読媒体のいくつかの例は、検出されたＷＬＡＮスキャニングトリガが、ワイヤレスデバイスのアプリケーションから生じるか、ワイヤレスデバイスのＷＬＡＮモデムから生じるかに少なくとも部分的に基づいて、ＷＬＡＮスキャンのための帯域を選択するための処理、特徴、手段、または命令をさらに含み得る。追加的にまたは代替的に、いくつかの例では、複数のアンテナの配分を選択することは、ＷＬＡＮスキャニングトリガがＷＬＡＮモデムから生じる場合、複数のアンテナのサブセットをセルラモデムから切り離し、複数のアンテナのサブセットをＷＬＡＮモデムに結合することを備える。
【００２３】
[0023]  本明細書で説明される方法、装置、または非一時的コンピュータ可読媒体のいくつかの例では、ＷＬＡＮスキャンは、複数のアンテナのサブセットを使用して行われる。追加的にまたは代替的に、いくつかの例は、ＷＬＡＮモデムにおいて、セルラモデムからＷＬＡＮスキャニングパラメータを受信するための処理、特徴、手段、または命令を含み得、ＷＬＡＮスキャンは、ＷＬＡＮモデムから生じるＷＬＡＮスキャニングトリガに少なくとも部分的に基づいて、セルラモデムからのＷＬＡＮスキャニングパラメータを使用して行われる。
【００２４】
[0024]  本明細書で説明される方法、装置、または非一時的コンピュータ可読媒体のいくつかの例では、複数のアンテナの配分を選択することは、スキャニングトリガ（scanning trigger）がワイヤレスデバイスのアプリケーションから生じる場合、現在のアンテナ構成（antenna configuration）を維持する（maintain）ことを備える。
【００２５】
[0025]  本明細書で説明される方法、装置、または非一時的コンピュータ可読媒体のいくつかの例は、マルチモードデバイス（multimode device）中の共存ＲＡＴ間のアンテナ共有を管理するための処理、特徴、手段、または命令をさらに含み得る。説明されるシステム、方法、装置、またはコンピュータ可読媒体の適用性のさらなる範囲は、以下の詳細な説明、特許請求の範囲、および図面から明らかとなるだろう。詳細な説明および具体的な例は、説明の範囲内の様々な変更および修正が当業者にとって明らかとなるため、例示のためだけに与えられている。
【図面の簡単な説明】
【００２６】
[0026]  本開示の特性および利点のさらなる理解が、以下の図面を参照することによって実現され得る。添付の図面では、同様のコンポーネントまたは特徴は、同じ参照ラベルを有し得る。さらに、同じタイプの様々なコンポーネントは、同様のコンポーネント間を区別する、破線による参照ラベルおよび第２のラベルに従って区別され得る。本明細書中で第１の参照ラベルだけが使用される場合、その説明は、第２の参照ラベルに関係なく同じ第１の参照ラベルを有する同様のコンポーネントのうちのいずれか１つにも適用可能である。
【図１】[0027]  図１は、本開示の様々な態様に従った、マルチモードデバイス中の共存ＲＡＴ間のアンテナ共有を管理することをサポートするワイヤレス通信システムの例を図示する。
【図２】[0028]  図２は、本開示の様々な態様に従った、マルチモードデバイス中の共存ＲＡＴ間のアンテナ共有を管理するためのワイヤレスデバイスの例を図示する。
【図３】[0029]  図３は、本開示の様々な態様に従った、マルチモードデバイス中の共存ＲＡＴ間のアンテナ共有を管理するためのワイヤレス通信サブシステム（wireless communications subsystem）の例を図示する。
【図４】[0030]  図４は、本開示の様々な態様に従った、マルチモードデバイス中の共存ＲＡＴ間のアンテナ共有を管理するためのワイヤレス通信サブシステムの例を図示する。
【図５Ａ】[0031]  図５Ａは、本開示の様々な態様に従った、マルチモードデバイス中の共存ＲＡＴ間のアンテナ共有を管理するための処理フローの例を図示する。
【図５Ｂ】図５Ｂは、本開示の様々な態様に従った、マルチモードデバイス中の共存ＲＡＴ間のアンテナ共有を管理するための処理フローの例を図示する。
【図６】[0032]  図６は、本開示の様々な態様に従った、デュアルアンテナ共有（dual antenna sharing）を用いた共有帯域にわたる共存をサポートするワイヤレスデバイスのブロック図を示す。
【図７】図７は、本開示の様々な態様に従った、デュアルアンテナ共有を用いた共有帯域にわたる共存をサポートするワイヤレスデバイスのブロック図を示す。
【図８】図８は、本開示の様々な態様に従った、デュアルアンテナ共有を用いた共有帯域にわたる共存をサポートするワイヤレスデバイスのブロック図を示す。
【図９】[0033]  図９は、本開示の様々な態様に従った、デュアルアンテナ共有を用いた共有帯域にわたる共存をサポートするＵＥを含むシステムのブロック図を図示する。
【図１０】[0034]  図１０は、本開示の様々な態様に従った、デュアルアンテナ共有を用いた共有帯域にわたる共存のための方法を図示する。
【図１１】図１１は、本開示の様々な態様に従った、デュアルアンテナ共有を用いた共有帯域にわたる共存のための方法を図示する。
【詳細な説明】
【００２７】
[0035]  本開示は、帯域中の同じ帯域またはチャネル上で動作する、共存するＲＡＴ間のマルチモードワイヤレスデバイス上のアンテナ共有を管理するための技法を提供する。マルチモードワイヤレスデバイスは、複数の共有アンテナを有し得、そのうちの少なくともいくつかは、セルラモデムおよびＷＬＡＮモデム間に配分される。ＷＬＡＮ機能がオフにされるかまたは切断され、セルラ接続が構成されるとき、セルラモデムは、セルラ通信中の空間ダイバーシティを使用可能にするために、共有アンテナのすべてに接続され得る。セルラモデムが共有アンテナに接続されている間に、ＷＬＡＮモデムまたはデバイス上で起動しているアプリケーションが共有帯域にわたるＷＬＡＮスキャンをトリガする場合、共有アンテナのうちの１つまたは複数がセルラモデムから切断され、ＷＬＡＮスキャンを適応させるためにＷＬＡＮモデムに接続される、チューンアウェイプロシージャが起こり得る。
【００２８】
[0036]  本開示で説明される１つの技法によると、マルチモードワイヤレスデバイスのモデムのうちの１つは、ＷＬＡＮスキャニングパラメータ（例えば、スキャニングデューティーサイクル（scanning duty cycle）、スキャニング開始時間（scanning start time）、スキャニング持続期間（scanning duration）など）をワイヤレスデバイスの別のモデムから受信し得る。具体的には、セルラモデムは、ＷＬＡＮスキャニングパラメータをＷＬＡＮモデムに提供するか、または代替的には、ＷＬＡＮモデムは、ＷＬＡＮスキャニングパラメータをセルラモデムに提供し得る。モデム間で通信されるＷＬＡＮスキャニングパラメータに少なくとも部分的に基づいて、第１のモデムと第２のモデムとの間のアンテナの配分は、ＷＬＡＮスキャンを適応させるために修正され得る。ＷＬＡＮスキャンは次に、モデム間のアンテナの配分に少なくとも部分的に基づいて、第１のモデムおよび第２のモデムによって共有された帯域にわたって行われる。
【００２９】
[0037]  別の例では、ＷＬＡＮスキャニングトリガは、複数の共有アンテナ、セルラモデム、およびＷＬＡＮモデムを有する、マルチモードワイヤレスデバイス中で検出される。モデム間の複数のアンテナの配分は、ＷＬＡＮスキャニングトリガがワイヤレスデバイスのアプリケーションから生じるか、ワイヤレスデバイスのＷＬＡＮモデムから生じるかに少なくとも部分的に基づいて選択される。ＷＬＡＮスキャンは次に、モデム間のアンテナの選択された配分に従って、ワイヤレスデバイスのＷＬＡＮモデムを使用して行われる。本開示のこれらのおよび他の態様はさらに、装置図、システム図、およびフローチャートによって図示され、それらを参照して説明される。
【００３０】
[0038]  図１は、本開示の様々な態様に従った、マルチモードデバイス中の共存ＲＡＴ間のアンテナ共有を管理することをサポートするワイヤレス通信システム１００の例を図示する。ワイヤレス通信システム１００は、基地局１０５、ＵＥ１１５、ＡＰ１５０、ＳＴＡ１５５、およびコアネットワーク１３０を含む。いくつかの例では、ワイヤレス通信システム１００は、ロングタームエボリューション（ＬＴＥ（登録商標））／ＬＴＥ−Ａｄｖａｎｃｅｄ（ＬＴＥ−Ａ）ネットワークであり得る。
【００３１】
[0039]  基地局１０５は、１つまたは複数の基地局アンテナを介してＵＥ１１５とワイヤレスに通信し得る。基地局１０５の各々は、それぞれの地理的カバレッジエリア１１０に通信カバレッジを提供し得る。ワイヤレス通信システム１００中に示される通信リンク１２５は、ＵＥ１１５から基地局１０５へのアップリンク（ＵＬ）送信、または基地局１０５からＵＥ１１５へのダウンリンク（ＤＬ）送信を含み得る。基地局１０５は、共有スペクトル（（shared spectrum））にわたる通信のために、サウンディング基準信号（sounding reference signal）をサポートおよび利用し得る。例えば、基地局１０５は、バックホールリンク（backhaul link）１３２（例えば、Ｓ１など）を通してコアネットワーク１３０とインターフェースし得る。基地局１０５はまた、（例えば、コアネットワーク１３０を通して）直接的にまたは間接的に、バックホールリンク１３４（例えば、Ｘ１など）にわたって互いと通信し得る。基地局１０５は、ＵＥ１１５との通信のために無線構成およびスケジューリングを行い得るか、または基地局コントローラ（図示されない）の制御下で動作し得る。様々な例では、基地局１０５は、マクロセル、スモールセル、ホットスポットなどであり得る。基地局１０５はまた、いくつかの例ではｅノードＢ（ｅＮＢ）と呼ばれ得る。
【００３２】
[0040]  ＵＥ１１５は、ワイヤレス通信システム１００全体にわたって分散され得、各ＵＥ１１５は、静止または移動し得る。ＵＥ１１５はまた、モバイル局、加入者局、リモートユニット、ワイヤレスデバイス、アクセス端末、ハンドセット、ユーザエージェント、クライアント、または何らかの他の適切な専門用語で呼ばれ得る。ＵＥ１１５はまた、セルラ電話、ワイヤレスモデム、ハンドヘルドデバイス、パーソナルコンピュータ、タブレット、パーソナル電子デバイス、マシンタイプ通信（ＭＴＣ：machine type communication）デバイスなどであり得る。ＵＥ１１５はまた、共有スペクトルにわたって基地局１０５と通信するためにサウンディング基準信号を利用し得る。
【００３３】
[0041]  ＵＥ１１５は、キャリアアグリゲーション（ＣＡ：carrier aggregation）構成における複数のキャリアで構成され得、通信リンク１２５は、そのようなマルチキャリアＣＡ構成を表し得る。キャリアはまた、コンポーネントキャリア（ＣＣ：component carrier）、レイヤ、チャネルなどとも呼ばれ得る。「コンポーネントキャリア」という用語は、ＣＡ動作においてＵＥ１１５によって利用される複数のキャリアの各々を指し得、システム帯域幅の他の一部分とは異なり得る。例えば、ＣＣは、他のコンポーネントキャリアとは独立してまたはそれらと組み合わせて利用されることが可能な比較的狭い帯域幅キャリアであり得る。各ＣＣは、ＬＴＥ規格のリリース８またはリリース９に基づく単独のキャリアと同じ能力を提供し得る。複数のコンポーネントキャリアは、より大きな帯域幅および、例えば、より高いデータレートをいくつかのＵＥ１１５に提供するために、アグリゲート（aggregate）されるか、または同時に利用され得る。よって、個々のＣＣは、レガシ（legacy）ＵＥ１１５（例えば、ＬＴＥリリース８またはリリース９を実装するＵＥ１１５）と後方互換性があり得るが、他のＵＥ１１５（例えば、リリース８／９後のＬＴＥのバージョンを実装するＵＥ１１５）は、マルチキャリアモード（multi-carrier mode）における複数のコンポーネントキャリアで構成され得る。ＤＬのために使用されるキャリアは、ＤＬ ＣＣと呼ばれ得、ＵＬのために使用されるキャリアはＵＬ ＣＣと呼ばれ得る。ＵＥ１１５は、キャリアアグリゲーションのための複数のＤＬ ＣＣおよび１つまたは複数のＵＬ ＣＣで構成され得る。各キャリアは、制御情報（例えば、基準信号、制御チャネルなど）、オーバーヘッド情報、データなどを送信するために使用され得る。いくつかの場合には、ＵＥ１１５は、広帯域送信のための発展型ＣＣ（ｅＣＣ）を利用し得る。ｅＣＣは、上述されるような他のｅＣＣまたはＣＣと同様にアグリゲートされ得る。
【００３４】
[0042]  ＵＥ１１５は、複数のキャリアを利用して単一の基地局１０５と通信し得、異なるキャリア上で複数の基地局１０５とも同時に通信し得る。基地局１０５の各セルは、ＵＬ ＣＣおよびＤＬ ＣＣを含み得る。基地局１０５のための各サービングセルの地理的カバレッジエリア１１０は、異なり得る（例えば、異なる周波数帯域上のＣＣは、異なるパスロス（path loss）を経験し得る）。いくつかの例では、１つのキャリアは、ＵＥ１１５のための一次キャリア、または一次コンポーネントキャリア（ＰＣＣ：primary component carrier）として指定され、それは、一次セル（ＰＣｅｌｌ）によってサービングされ得る。一次セルは、ＵＥベースで上位レイヤ（例えば、無線リソース制御（ＲＲＣ：radio resource control）など）によって半静的に構成され得る。物理アップリンク制御チャネル（ＰＵＣＣＨ：physical uplink control channel）上で送信された、ある特定のアップリンク制御情報（ＵＣＩ：uplink control information）、例えば、ＡＣＫ／ＮＡＣＫ、チャネル品質インジケータ（ＣＱＩ：annel quality indicator）、およびスケジューリング情報は、一次セルによって搬送される。追加のキャリアは、二次キャリア、または二次コンポーネントキャリア（ＳＣＣ：secondary component carrier）として指定され得、それらは、二次セル（ＳＣｅｌｌ）によってサービングされ得る。二次セルは同様に、ＵＥごとに半静的に構成され得る。いくつかの場合には、二次セルは、一次セルと同じ制御情報を含まないか、またはそれを送信するように構成されない可能性があり得る。
【００３５】
[0043]  いくつかの例では、ワイヤレス通信システム１００は、第１の無線アクセス技術（例えば、ＬＴＥ／ＬＴＥ−Ａ技術のような、セルラ無線アクセス技術）に従って動作し得るが、第２の無線アクセス技術（例えば、Ｗｉ−Ｆｉ技術）に従って動作する１つまたは複数のネットワークまたはノードの存在下で動作する。一例では、図１は、Ｗｉ−Ｆｉ局（ＳＴＡ）１５５と通信状態にあるＷｉ−Ｆｉアクセスポイント（ＡＰ：access point）１５０から構成されるネットワークを示す。いくつかの例では、ＵＥ１１５または基地局１０５は、Ｗｉ−Ｆｉによって使用される無認可帯域中の動作をサポートし得る。ＳＴＡ１５５またはＡＰ１５０は、ＬＴＥをサポートするＷｉ−Ｆｉデバイスであり得るが、無認可帯域中のＬＴＥ動作については構成されない可能性がある。明確化のために、共有帯域中のＬＴＥ動作をサポートするデバイスは、基地局１０５またはＵＥ１１５と呼ばれ得、サポートしないデバイスは、ＡＰ１５０またはＳＴＡ１５５とは呼ばれ得る。
【００３６】
[0044]  ＬＴＥネットワークでは、基地局１０５およびＵＥ１１５は、セルラネットワークの専用周波数スペクトル（dedicated frequency spectrum）にわたって、または無線周波数スペクトル（radio frequency spectrum）の異なる周波数帯域にわたって（例えば、専用無線周波数帯域（dedicated radio frequency band）および共有無線周波数帯域（shared radio frequency band））通信し得る。専用（例えば、認可された）無線周波数帯域を使用するセルラネットワーク中のデータトラフィックが増加すると、共有無線周波数スペクトルへの少なくともいくつかのデータトラフィックのオフロードは、セルラオペレータに、拡張されたデータ送信容量のための機会を提供し得る。共有無線周波数スペクトルはまた、専用無線周波数スペクトルへのアクセスが利用可能ではないエリアでのサービスを提供し得る。Ｗｉ−Ｆｉネットワークは、共有スペクトル（例えば、無認可スペクトル（unlicensed spectrum））内の２．４または５ＧＨｚ帯域のような、ある特定の周波数帯域を利用し得る。ＬＴＥネットワークは同様に、これらの周波数帯域を利用し得、いくつかの場合には、通信のために５ＧＨｚ帯域を利用するが、２．４ＧＨｚ帯域は利用しない。
【００３７】
[0045]  これらの無認可帯域にわたる通信が可能なマルチモードワイヤレスデバイス（例えば、ＵＥ１１５）は、ＬＴＥまたはＷＬＡＮネットワークのいずれかを使用して動作し得る。ワイヤレスデバイスは、ＬＴＥ通信を行うために使用されるＬＴＥモデムと、ＷＬＡＮ通信のために使用されるＷＬＡＮモデムとを含み得る。いくつかの場合には、ワイヤレスデバイスは、１つまたは複数の無認可帯域（例えば、２．４および５ＧＨｚ）にわたる通信のために設計された１つまたは複数のアンテナを装備している。ＬＴＥネットワークが無認可帯域を利用する場合には、アンテナは、ＬＴＥおよびＷＬＡＮモデムによって共有され得る。従って、ＬＴＥデバイスからのおよびＬＴＥデバイスへのＷＬＡＮ通信およびＬＴＥ通信は、互いに干渉し得る。
【００３８】
[0046]  従って、ＬＴＥデバイスは、ＷＬＡＮおよびＬＴＥ動作のいずれかを使用可能にするために、ＷＬＡＮモデムとＬＴＥモデムとの間で共有アンテナの使用を区切り得る。一例では、ＷＬＡＮモデムおよびＬＴＥモデムは、どのモデムがどのアンテナへのアクセスを有するかを決定するために、互いと通信し得る。いずれかのモデムは、一方のモデムが共有アンテナのうちの１つまたは複数へのアクセスを有する期間を示す他方へとスキャニングパラメータを送り得る。ＷＬＡＮモデムが共有アンテナへのアクセスを有する期間の間、ＷＬＡＮモデムは、共有帯域にわたるＷＬＡＮスキャンを行い得る。例えば、ＬＴＥモデムは、デューティーサイクルを示すスキャニングパラメータをＷＬＡＮモデムに送り得、ここで、ＷＬＡＮモデムは、オン期間中に１つまたは複数のアンテナへのアクセスを有し、ＬＴＥモデムは、オフ期間中にアンテナへのアクセスを有する。代替的に、ＷＬＡＮモデムは、ＷＬＡＮモデムが１つまたは複数のアンテナを制御していることを示すスキャニングパラメータと、ＷＬＡＮモデムが制御を保持し得る時間の長さを示す持続期間とを送り得る。
【００３９】
[0047]  図２は、本開示の様々な態様に従った、マルチモードデバイス中の共存ＲＡＴ間のアンテナ共有を管理するためのワイヤレスデバイス１１５−ａの例を図示する。ワイヤレスデバイス１１５−ａは、図１を参照して上述されるようなＵＥ１１５の例であり得る。ワイヤレスデバイス１１５−ａは、セルラモデム２０５、ＷＬＡＮモデム２１０、スイッチ２１５、アンテナ２２０、およびダイプレクサ（diplexer）２２５を含む。
【００４０】
[0048]  ＷＬＡＮモデム２１０は、アンテナ２２０−ａを介する通信に関連する２．４ＧＨｚ一次アンテナポート（antenna port）と、２２０−ｂに関連する二次２．４ＧＨｚアンテナポートとを含み得る。ＷＬＡＮモデム２１０はまた、アンテナ２２０−ａおよび２２０−ｂに同様に関連する一次および二次アンテナポートを含み得る。いくつかの場合には、一次アンテナポートは、二次アンテナポートが信号の受信のために使用される間、送信のために使用される。セルラモデム２０５は、アンテナ２２０−ａおよび２２０−ｂに関連する一次および二次５ＧＨｚアンテナポートを含み得る。いくつかの場合には、セルラモデム２０５は、一次アンテナまたは二次アンテナのいずれかを用いて、基地局１０５と十分に通信することが可能であり得る。セルラモデム２０５は、図示されないが、１つまたは複数の専用ＬＴＥ帯域（例えば、１８００ＭＨｚ）にわたる通信のために追加のアンテナを含み得る。いくつかの場合には、ＷＬＡＮモデム２１０およびセルラモデム２０５のための一次アンテナポートは、交差接続構成（cross connection configuration）と呼ばれ得るものにおいて、異なるアンテナに関連する（例えば、セルラモデムの一次ポートは、ＷＬＡＮモデムの一次ポートがアンテナ２２０−ａに関連する間、アンテナ２２０−ｂに関連する）。他の場合には、ＷＬＡＮモデム２１０およびセルラモデム２０５の両方のための一次アンテナポートは、共有一次接続（shared primary connection）と呼ばれるものにおいて、同じアンテナに接続される。
【００４１】
[0049]  いくつかの場合には、セルラモデム２０５およびＷＬＡＮモデム２１０の両方は、５ＧＨｚ帯域にわたる通信を同時に行うことを試み得る。しかしながら、アンテナ２２０−ａおよび２２０−ｂがモデムによって共有されるため、スイッチ２１５−ａおよび２１５−ｂのような保護メカニズムを与えられることなく、深刻な干渉が生じ得る。２．４ＧＨｚおよび５ＧＨｚに関連する同時通信は、干渉を回避するためにダイプレクサ２２５−ａおよび２２５−ｂを利用し、ここで、ダイプレクサ２２５−ａおよび２２５−ｂは、入力周波数に対応するバンドパスフィルタを使用して、周波数領域中の信号を多重化および逆多重化し得ることに留意されたい。スイッチ２１５−ａおよび２１５−ｂは、５ＧＨｚ送信をセルラモデム２０５およびＷＬＡＮモデム２１０から分離するために使用され得る。スイッチ２１５−ａおよび２１５−ｂは、独立して操作され、アンテナ２２０とモデムとの間で複数の構成を提供する。いくつかの場合には、ＷＬＡＮモデム２１０またはセルラモデム２０５のいずれかは、下記でより詳細に説明されるように、２つのモデム間の（すなわち、それぞれ、ＷＬＡＮ向けの、またはセルラ向けの）スイッチングプロシージャ（switching procedure）を制御する。
【００４２】
[0050]  セルラモデム２０５およびＷＬＡＮモデム２１０は、複数の可能性に従って構成され得る。例えば、ＬＴＥモデムが構成され得るか、または構成されない可能性があり、ＷＬＡＮモデムは、「オフ」、「オン／未接続」、または「オン／接続」であり得る。これらの状態の組み合わせは、ワイヤレスデバイス１１５−ａによって観察され得る。
【００４３】
[0051]  図３は、本開示の様々な態様に従った、マルチモードデバイス中の共存ＲＡＴ間のアンテナ共有を管理するためのワイヤレス通信サブシステム３００の例を図示する。ワイヤレス通信サブシステム３００は、ＵＥ１１５−ｂ、基地局１０５−ａ、およびＡＰ１５０−ａを含み得、それらは、ＵＥ１１５、基地局１０５、またはＡＰ１５０の例であり得るか、図１を参照して上述されるように通信し得る。ＵＥ１１５−ｂは、専用および共有スペクトルの両方にわたる通信が可能であり得る。ＵＥ１１５−ｂは、共有スペクトル（例えば、５ＧＨｚ帯域）にわたる、基地局１０５−ａとの通信のためのＬＴＥモデムと、ＡＰ１５０−ａとの通信のためのＷｉ−Ｆｉモデムとを利用し得る。
【００４４】
[0052]  一例では、ＵＥ１１５−ｂは、Ｗｉ−Ｆｉモデムがオフ状態にあり接続されていない間、基地局１０５−ａとの、共有スペクトルにわたる通信に従事する。Ｗｉ−Ｆｉモデムはその後、（例えば、Ｗｉ−Ｆｉがデバイスで使用可能である）「オン」状態に入り得、Ｗｉ−Ｆｉが利用可能であることをＬＴＥモデムに知らせるメッセージを送る。一旦Ｗｉ−Ｆｉモデムがオン状態に入ると、Ｗｉ−Ｆｉモデムは、使用可能なＡＰについての共有帯域をスキャンしようと試み得る。しかしながら、無認可通信（unlicensed communication）のために使用されるアンテナは、ＬＴＥモデムによって占有され得る。いくつかの場合には、ＬＴＥモデムは、Ｗｉ−Ｆｉモデムが従事されたとのメッセージを受信した後に、アンテナを共有するためのスケジュールを決定し得る。ＬＴＥモデムは、決定されたスケジューリングを含むスキャニングパラメータを生成し、そのパラメータをＷｉ−Ｆｉモデムに送り得る。例えば、ＬＴＥモデムは、第１の時間期間の間に１つまたは複数の無認可アンテナ（unlicensed antenna）へのＷｉ−Ｆｉモデムのアクセスを与え（give）て、かつ第２の時間期間の間にその無認可アンテナの制御を回復する（regain）、Ｗｉ−Ｆｉスキャニングのためのデューティーサイクルを決定し得る。ＷＬＡＮは、デューティーサイクルを含むメッセージを受信し、第１の期間中に、ＷＬＡＮモデムは、アンテナの１つまたは複数へのアクセスを獲得し得、それを介してスキャニング動作（scanning operation）を行う。
【００４５】
[0053]  ＬＴＥモデムは、決定された周期性でのサイクルを繰り返し得、ＷＬＡＮモデムは、利用可能なＡＰをスキャンし続け得る。いくつかの場合には、ＬＴＥモデムは、前のスキャニング動作に基づいて、スキャニングパラメータを更新し得る。ＷＬＡＮモデムは、スキャニング期間（scanning period）中に、ＡＰ１５０−ａを識別し、それに接続しようと試み得る。接続が成功した後、ＷＬＡＮモデムは、無認可アンテナを制御し得、ＬＴＥモデムは、例えば、無線リンク障害（ＲＬＦ：radio link failure）が起こっていることを示すメッセージを基地局１０５−ａに送ることによって、基地局１０５−ａとのＬＴＥ接続を構成解除（deconfigure）し得る。従って、ＷＬＡＮモデムは、ＡＰ１５０−ａに接続することを試み得、その試みは失敗し得る。試みが失敗した後、ＷＬＡＮモデムは、利用可能なＡＰをスキャンし続ける。
【００４６】
[0054]  他の場合には、Ｗｉ−Ｆｉモデムは、無認可アンテナを共有するためのスケジュールを決定し得る。例えば、ＵＥ１１５−ｂは、通信のためにＷｉ−Ｆｉモデムを使用可能であり得る。Ｗｉ−Ｆｉモデムは、スキャニング開始インジケータ（scanning start indicator）とスキャニング持続期間インジケータ（scanning duration indicator）とを含む、ＬＴＥモデムスキャニングパラメータを送り得る。スキャニングパラメータを受信した後、ＬＴＥモデムは、示されたスキャニング持続期間の間の共有アンテナの制御を容認し得る。スキャニング期間の後である場合、ＷＬＡＮモデムは、利用可能なＡＰを発見せず、あるいは、接続の試みが成功しなかった場合、ＬＴＥモデムは、スキャニングパラメータの第２のセットが受信されるまで、共有アンテナの制御を回復する。この例では、ＷＬＡＮモデムは、ＡＰ１５０−ａを識別し、かつそれに接続し得、ＬＴＥモデムは、基地局１０５−ａとのＲＬＦを宣言（declare）し得る。
【００４７】
[0055]  上記のいずれかの場合に、Ｗｉ−Ｆｉモデムは、ダイプレクサを使用して、２．４ＧＨｚまたは５ＧＨｚ帯域にわたる同時通信に従事し得る。例えば、アプリケーションは、ロケーション情報（location information）を決定するために、２．４ＧＨｚ帯域にわたるＷｉ−Ｆｉスキャンを行い得る。このスキャンは、Ｗｉ−Ｆｉモデムが「オン」状態であっても、または「オフ」状態であっても行われ得、アンテナ構成の修正がなくとも起こり得る。いくつかの例では、共有帯域は、より小さい帯域にさらに分割され得る。例えば、無認可スペクトルの５ＧＨｚ帯域は、複数のサブバンドを含み得る。これらの場合には、スキャニング（scanning）は、適宜、サブバンドのサブセットにわたって、または５ＧＨｚ帯域全体にわたって起こり得る。
【００４８】
[0056]  図４は、本開示の様々な態様に従った、マルチモードデバイス中の共存ＲＡＴ間のアンテナ共有を管理するためのワイヤレス通信サブシステム（wireless communications subsystem）４００の例を図示する。ワイヤレス通信サブシステム４００は、図１−３を参照して上述されるような、基地局１０５−ｂ、ＡＰ１５０−ｂ、およびＵＥ１１５−ｃ間のアンテナ共有および通信の態様を図示する。ＵＥ１１５−ｃは、図２を参照して上述されるような、セルラモデム２０５の例であり得るＬＴＥモデム４０５、ＷＬＡＮモデム２１０の例であり得るＷｉ−Ｆｉモデム４１０、およびアンテナ４２０を含み得る。
【００４９】
[0057]  一例では、ＵＥ１１５−ｃは、無認可帯域にわたるＬＴＥ動作のために構成され、Ｗｉ−Ｆｉモデム４１０は、「オフ」状態または「オン／未接続」状態であり得る。ＬＴＥモデム４０５およびＷｉ−Ｆｉモデム４１０は、いずれかのモデムがアンテナ４２０にアクセスすることを可能にするスイッチングメカニズム（switching mechanism）を通して、アンテナ４２０に接続され得る。スイッチングメカニズムは、ＬＴＥモデム４０５が両方のアンテナ４２０に接続するように構成され得、ＵＥ１１５−ｃは、アンテナ４２０−ａおよび４２０−ｂを使用して基地局１０５−ｂと通信し得る。Ｗｉ−Ｆｉモデム４１０が「オフ」状態にある場合には、Ｗｉ−Ｆｉモデム４１０は、（例えば、アプリケーションによって開始されたスキャニング（application initiated scanning）のように）ロケーションデータを収集するためにＷｉ−Ｆｉスキャンし続け得る。ＵＥ１１５−ｃは、ロケーションスキャニング（location scanning）のためにＷｉ−Ｆｉモデム４１０を２．４ＧＨｚ帯域に制限し、アンテナ４２０は、現在構成されているままであり得る。
【００５０】
[0058]  Ｗｉ−Ｆｉモデム４１０が「オフ」状態から「オン／未接続」状態に遷移する場合には、Ｗｉ−Ｆｉモデム４１０は、スキャニングトリガをＬＴＥモデム４０５に送信し得る。これは、アンテナ４２０−ａおよび４２０−ｂが将来の通信のために共有され得ることをＬＴＥモデム４０５に知らせ得る。一例では、ＬＴＥモデム４０５は、スキャニングトリガを受信し、アンテナ４２０−ａおよび４２０−ｂの将来的な共有を指示するスキャニングパラメータのセットを生成する。ＬＴＥモデム４０５は次に、スキャニングパラメータをＷｉ−Ｆｉモデム４１０に通信する。スキャニングパラメータは、「Ｗｉ−Ｆｉスキャニング期間」および「ＬＴＥ通信期間」のような、アンテナについてのスケジューリング情報を含み得る。「スキャニング期間」４３０の始めに、アンテナ構成は、Ｗｉ−Ｆｉモデム４１０がアンテナ４２０−ａおよび４２０−ｂの１つまたは複数にアクセスするように修正され得る。いくつかの場合には、Ｗｉ−Ｆｉモデム４１０は、アンテナ４２０−ｂへのアクセスを獲得し、ＬＴＥ通信モデムは、「ダイバーシティチューンアウェイ（diversity tune away）」と呼ばれ得るものにおいて、アンテナ４２０−ａへのアクセスを保持する。この方法では、ＬＴＥモデム４０５は、基地局１０５−ｂとの接続を保持し、かつそれと通信し続け、一方、Ｗｉ−Ｆｉモデム４１０は、利用可能なＡＰを探して共有スペクトルをスキャンし得る。他の場合には、Ｗｉ−Ｆｉモデム４１０は、両方のアンテナ４２０へのアクセスを獲得し、ＬＴＥモデム４０５は、「フルチューンアウェイ（full tune away）」と呼ばれるものにおいて、スキャニングが完了するまで、ＲＬＦを基地局１０５−ｂに宣言し得る。Ｗｉ−Ｆｉモデム４１０が利用可能なＡＰを識別しない場合、または接続の試みが成功しなかった場合、ＵＥ１１５−ｃは、当初の構成に戻り得、基地局１０５−ｂとの十分な通信が再開され得る。ＵＥ１１５−ｃは、Ｗｉ−Ｆｉモデム４１０がＡＰ１５０−ｂのような利用可能なＡＰを識別するまで、ＬＴＥモデム４０５によって決定される周期性において第１および第２のアンテナ構成間での切り替えを継続し得る。
【００５１】
[0059]  代替的に、Ｗｉ−Ｆｉモデム４１０は、ＵＥ１１５−ｃのためのアンテナ構成を指示し得る。例えば、Ｗｉ−Ｆｉモデム４１０は、スキャニングトリガを送信し得、それはＬＴＥモデム４０５へのスキャニングパラメータを含み、Ｗｉ−Ｆｉモデムがアンテナ４２０−ａおよび４２０−ｂの１つまたは複数を制御することをＬＴＥモデムに通知する。スキャニングパラメータは、ＷＬＡＮスキャニング期間に関連する時間の長さに加えて、ＷＬＡＮスキャニング期間の始まりをＬＴＥモデム４０５に示し得る。従って、スキャニング期間４３０の始めに、ＬＴＥモデム４０５は、Ｗｉ−Ｆｉモデム４１０への１つまたは複数のアンテナ４２０の制御を中止し（relinquish）得る。Ｗｉ−Ｆｉモデム４１０は次に、利用可能なＡＰを探して、共有帯域にわたるスキャニング動作を始め得る。スキャニング動作は、ロケーションスキャニングなどを行う候補ＡＰを検索することを含み得る。
【００５２】
[0060]  いずれの場合にも、Ｗｉ−Ｆｉモデム４１０がＡＰ１５０−ｂを識別し、かつそれに接続する場合、Ｗｉ−Ｆｉモデム４１０は、両方のアンテナを制御し、ＬＴＥモデムは、ＲＬＦを基地局１０５−ｂに宣言する。
【００５３】
[0061]  図５Ａは、本開示の様々な態様に従った、マルチモードデバイス中の共存ＲＡＴ間のアンテナ共有を管理するためのプロセスフロー５００−ａの例を図示する。プロセスフロー５００−ａは、図１−２を参照して説明されるようなＵＥ１１５、基地局１０５、およびＡＰ１５０の例であり得る、ＵＥ１１５−ｄ、基地局１０５−ｃ、およびＡＰ１５０−ｃによって行われ得る。ＬＴＥモデム４０５−ａおよびＷｉ−Ｆｉモデム４１０−ａは、ＵＥ１１５−ｄにおけるアンテナ４２０−ｃおよび４２０−ｄの構成を修正し得る。いくつかの例では、ＬＴＥモデム４０５−ａは、ＬＴＥ向けのアンテナ共有（LTE（登録商標） directed antenna sharing）と呼ばれ得るものにおいて、アンテナ４２０をＷｉ−Ｆｉモデム４１０−ａと共有するためのスケジュールを指示する。
【００５４】
[0062]  ステップ５０５において、ＵＥ１１５−ｄは、基地局１０５−ｃとの接続を確立し得る。接続を確立することは、ＰＲＡＣＨメッセージをＵＥ１１５−ｄから受信し、ＲＲＣ接続を確立することを含み得る。ＰＲＡＣＨメッセージは、専用および共有スペクトルの両方にわたる通信を行うための能力のような、ＵＥ１１５−ｄについての能力情報を含み得る。ＲＲＣメッセージは、ＵＥ１１５−ｄを、共有スペクトルにわたる通信に関して構成するためにＵＥ１１５−ｄと基地局１０５−ｃとの間で送られ得る。いくつかの例では、基地局１０５−ｃは、ＵＥ１１５−ｄに共有スペクトルを利用することを通知するＲＲＣメッセージを送信し得る。
【００５５】
[0063]  ステップ５１０において、ＬＴＥモデム４０５−ａは、Ｗｉ−Ｆｉモデム４１０−ａに関連する動作状態を識別する。Ｗｉ−Ｆｉモデム４１０−ａは、「オフ」、「オン／未接続」、「オン／接続」状態で動作し得る。Ｗｉ−Ｆｉモデム４１０−ａが「オフ」状態で動作する場合、次に、ＬＴＥモデム４０５−ａは、「チューンアウェイ（tune away）」プロシージャのために、スキャニングパラメータをＷｉ−Ｆｉモデム４１０−ａに送ることを控え得る。いくつかの場合には、Ｗｉ−Ｆｉモデム４１０−ａは、「オフ状態」中に共有帯域をスキャンするが、ＵＥ１１５−ｄは、Ｗｉ−Ｆｉモデム４１０−ａを（例えば、アプリケーションによって開始されたロケーション向けスキャニングのための）２．４ＧＨｚ周波数帯域に制限し得る。アンテナ４２０−ｃおよび４２０−ｄが２．４および５ＧＨｚ周波数帯域のいずれかにわたる送信のために同時に使用され得るため、ＬＴＥモデム４０５−ａは、アンテナを再構成することを控え得る。Ｗｉ−Ｆｉモデム４１０−ａが「オン／未接続」状態で動作している場合、ＬＴＥモデム４０５−ａは、アンテナ４２０−ｃおよび４２０−ｄを共有するためのスケジュールを決定するスキャニングパラメータのセットを生成し得る。Ｗｉ−Ｆｉモデム４１０−ａが「オン／接続」状態にある場合、ＬＴＥモデム４０５−ａは、Ｗｉ−Ｆｉモデム４１０−ａに両方のアンテナの制御を譲り得、ＲＬＦを基地局１０５−ｃに宣言する。
【００５６】
[0064]  ステップ５１５において、ＬＴＥモデム４０５−ａは、Ｗｉ−Ｆｉモデム４１０−ａが「オン／未接続」状態にあることを決定することに基づいて、生成されたスキャニングパラメータをＷｉ−Ｆｉモデム４１０−ａに送り得る。スキャニングパラメータは、Ｗｉ−Ｆｉモデム４１０−ａがアンテナ４２０のうちの１つまたは複数へのアクセスを獲得するスキャニング期間５３２−ａ、およびＬＴＥモデム４０５−ａがアンテナ４２０の制御を回復する通信期間を示す、デューティーサイクルを含み得る。例えば、スキャニング期間５３２−ａは２秒続き得、通信期間は８秒続き得、デューティーサイクルは１０秒の周期性で繰り返し得る。このようなチューンアウェイ期間は、「ロングチューンアウェイ（long tune away）」期間とみなされ得る。代替的に、スキャニング期間５３２−ａは、「複数のショートチューンアウェイ（multiple short tune away）」期間と呼ばれ得るものにおいて、より短い間隔で起こる複数のショートチューンアウェイ期間で構成され得る。複数のショートチューンアウェイ期間は、ＵＥ１１５−ｄが基地局４０５−ａにＲＬＦを宣言することなく、共有帯域にわたるクイックスキャン（quick scan）を行うことを可能にし得る。Ｗｉ−Ｆｉモデム４１０−ａは、スキャニングパラメータを受信し、将来的なＷｉ−Ｆｉスキャンのためのスキャニングスケジュール（scanning schedule）を決定し得る。スキャニングパラメータはまた、アンテナ４２０−ｃおよび４２０−ｄがどのように再構成され得るか（例えば、フルチューンアウェイ、ダイバーシティチューンアウェイ、どのアンテナがどのモデムによって制御されるかなど）のようなインジケータを含み得る。いくつかの場合には、スキャニングパラメータは、ＷＬＡＮスキャンのための開始時間およびＷＬＡＮスキャンのための持続期間を含む。
【００５７】
[0065]  ステップ５２０において、スキャニング期間５３２−ａが始まり、アンテナ４２０−ｃおよび４２０−ｄは、ＬＴＥモデム４０５−ａとＷｉ−Ｆｉモデム４１０−ａとの間で再構成される。一例では、「ダイバーシティチューンアウェイ」モードと呼ばれ得るものにおいて、ＬＴＥモデム４０５−ａは、アンテナ４２０−ｄへのアクセスをＷｉ−Ｆｉモデム４１０−ａに譲るが、アンテナ４２０−ｃの制御を保持する。この方法では、ＬＴＥモデム４０５−ａは、アンテナ４２０−ｃを通して基地局１０５−ｃとの接続を保持し得、一方、Ｗｉ−Ｆｉモデム４１０−ａは、並列して共有帯域をスキャンすることができる。いくつかの場合には、アンテナ４２０−ｃは、ＬＴＥモデムのための一次アンテナであり、一方、他の場合には、それは二次アンテナである。ＬＴＥモデム４０５−ａが両方のアンテナの制御を譲る場合には、ＬＴＥモデム４０５−ａはさらに、共有帯域にわたるＬＴＥ通信を休止するために、ＲＬＦを基地局１０５−ｃに宣言する。
【００５８】
[0066]  ステップ５２５において、Ｗｉ−Ｆｉモデム４１０−ａは、受信したスキャニングパラメータに基づいて、アンテナ４２０−ｄを介して共有帯域にわたるＷｉ−Ｆｉスキャンを行い得る。Ｗｉ−Ｆｉモデム４１０−ａは、利用可能なＡＰについてのスキャニング期間５３２−ａ中に、共有帯域中の複数のチャネルをスキャンし得る。利用可能なＡＰが識別されない場合、または接続の試みが成功しなかった場合、Ｗｉ−Ｆｉモデム４１０−ａは、スキャニング期間５３２−ａの終わりに、アンテナ４２０−ｄの制御をＬＴＥモデム４０５−ａに戻す。いくつかの場合には、Ｗｉ−Ｆｉスキャンは、Ｗｉ−Ｆｉモデムがプローブ要求（probe request）を送り、ＡＰ１５０−ｃのようなＡＰからのプローブ応答（probe response）を待つ、能動的スキャン（active scan）である。他の場合には、Ｗｉ−Ｆｉスキャンは、Ｗｉ−Ｆｉモデムが、ＡＰ１５０−ｃのようなＡＰからの信号またはビーコンをリッスン（listen）する、受動的スキャン（passive scan）である。
【００５９】
[0067]  ステップ５３０において、スキャニング期間５３２−ａが終わり、アンテナ４２０−ｃおよび４２０−ｄは、ＬＴＥモデム４０５−ａが両方のアンテナを制御するように、再構成される。いくつかの場合には、Ｗｉ−Ｆｉモデム４１０−ａは、スキャニング期間５３２−ａの終了の前にＷｉ−Ｆｉスキャンを完了し、アンテナは、Ｗｉ−Ｆｉスキャンの完了時に再構成される。モデムは、アンテナを共有し続け、スキャニングパラメータによって指示されたスケジュールに従ってＷｉ−Ｆｉスキャンを行い得る。
【００６０】
[0068]  ステップ５３５において、ＬＴＥモデム４０５−ａは、前のＷｉ−Ｆｉスキャニングの挙動に基づいてスキャニングパラメータを更新し得る。例えば、ＬＴＥモデム４０５−ａは、Ｗｉ−Ｆｉモデム４１０が全部のスキャニング期間５３２−ａをスキャンしないことを決定し得る。従って、ＬＴＥモデム４０５−ａは、より短いスキャニング期間を反映するようにスキャニングパラメータを更新し得る。ＬＴＥモデム４０５−ａはまた、スキャニング期間の周期性を増大させ得る。いくつかの場合には、ＬＴＥモデム４０５−ａは、最小／最大スキャニング期間および周期性を決定する。いくつかの場合には、スキャニングパラメータは、両方のアンテナ４２０−ｃおよび４２０−ｄがＷｉ−Ｆｉモデム４１０−ａによって制御され得るとのインジケータを含み得る。スキャニングパラメータを更新することは、前のおよび予期されるＷｉ−Ｆｉチャネル特性に少なくとも部分的に基づいて変えることができる適応デューティーサイクルアプローチを、ＬＴＥモデムが提供することを可能にし得る。
【００６１】
[0069]  ステップ５４０において、ＬＴＥモデム４０５−ａは、更新されたスキャンパラメータをＷｉ−Ｆｉモデム４１０−ａに送り得る。スキャニングパラメータは、「フルチューンアウェイ」モードと呼ばれ得るものにおいて、更新されたスキャニング期間と、両方のアンテナ４２０がＷｉ−Ｆｉモデム４１０−ａに譲られ得るとのインディケーションとを含み得る。
【００６２】
[0070]  ステップ５４５において、ＬＴＥモデム４０５−ａは、両方のアンテナへのアクセスを中止することに基づいて、基地局１０５−ｃからＵＥ１１５−ｄへのさらなる通信を回避するために、ＲＬＦを基地局１０５−ｃに宣言し得る。これは、次回のＷｉ−Ｆｉスキャンとの干渉を回避し得る。ＲＬＦを宣言することは、基地局１０５−ｃにＲＬＦを示す、低ＳＩＮＲ測定（low SINR measurements）のようなｆａｌｓｅパラメータを送ることを含み得る。
【００６３】
[0071]  ステップ５５０において、スキャニング期間５３２−ｂが始まり、アンテナ４２０−ｃおよび４２０−ｄは、ＬＴＥモデム４０５−ａとＷｉ−Ｆｉモデム４１０との間で再構成され得る。一例では、Ｗｉ−Ｆｉモデム４１０−ａは、両方のアンテナ４２０−ｃおよび４２０−ｄを制御し得る。
【００６４】
[0072]  ステップ５５５において、Ｗｉ−Ｆｉモデム４１０−ａは次に、共有帯域にわたるＷｉ−Ｆｉスキャンを行い得る。共有帯域は、複数のチャネルを含み得、Ｗｉ−Ｆｉモデム４１０−ａは、Ｗｉ−Ｆｉスキャン中に帯域の１つまたは複数をスキャンし得る。いくつかの場合には、Ｗｉ−Ｆｉモデム４１０−ａは、スキャニング期間５３２−ｂ内にＡＰ１５０−ｃを識別し、ＡＰ１５０−ｃに接続する。ＡＰ１５０−ｃに接続することは、ＡＰ１５０−ｃとの関連付けおよびＡＰ１５０−ｃとの通信リンクを確立することを含み得る。いくつかの場合には、Ｗｉ−Ｆｉモデム４１０−ａは、スキャニング期間の終わり付近にＰ１５０−ｃを識別し得、ＡＰ１５０−ｃとの関連付けおよびＡＰ１５０−ｃとの接続を行うプロセスは、中断される。この場合、Ｗｉ−Ｆｉモデム４１０−ａは、後続のスキャニング期間において接続プロシージャ（connection procedure）を再開し得る。例えば、Ｗｉ−Ｆｉモデム４１０−ａは、最新の接続セットアップステップのために、ＡＰ１５０−ｃとの接続を再開し得る。他の場合には、Ｗｉ−Ｆｉモデム４１０−ａは、ＡＰ１５０−ｃに関連するチャネルを共有帯域中の他のチャネルの前にスキャンするために、スキャニングシーケンス（scanning sequence）を適応させ、ＡＰ１５０−ｃと接続し得る。
【００６５】
[0073]  ステップ５６０において、Ｗｉ−Ｆｉモデム４１０−ａは、ＡＰ１５０−ｃを識別することおよびＡＰ１５０−ｃに接続することに基づいて、両方のアンテナ４２０にわたる制御を保持し得る。ＬＴＥモデム４０５−ｂは、アンテナ４２０へのアクセスを回復することを試みず、ＵＥ１１５−ｄは、ＡＰ１５０−ｃとの通信を始める。Ｗｉ−Ｆｉモデム４１０−ａがダイバーシティチューンアウェイプロシージャ中にＡＰ１５０−ｃを識別する場合、Ｗｉ−Ｆｉモデム４１０−ａは、両方のアンテナ４２０に同様に結合する。
【００６６】
[0074]  図５Ｂは、本開示の様々な態様に従った、マルチモードデバイス中の共存ＲＡＴ間のアンテナ共有を管理するためのプロセスフロー５００−ｂの例を図示する。プロセスフロー５００−ｂは、図１−２を参照して説明されるような、ＵＥ１１５、基地局１０５、およびＡＰ１５０の例であり得る、ＵＥ１１５−ｅ、基地局１０５−ｄ、およびＡＰ１５０−ｄによって行われ得る。ＬＴＥモデム４０５−ｂおよびＷｉ−Ｆｉモデム４１０−ｂは、ＵＥ１１５−ｄにおいてアンテナ４２０−ｃおよび４２０−ｄの構成を修正し得る。いくつかの例では、Ｗｉ−Ｆｉモデム４１０−ｂは、Ｗｉ−Ｆｉ向けのアンテナ共有（Wi-Fi directed antenna sharing）と呼ばれ得るものにおいて、アンテナ４２０をＬＴＥモデム４０５−ｂと共有するためのスケジュールを指示する。
【００６７】
[0075]  ステップ５６５において、ＵＥ１１５−ｅおよび基地局１０５−ｄは、図５Ａを参照して説明されるような接続を確立し得る。上記のように、Ｗｉ−Ｆｉモデム４１０−ｂは、「オフ」、「オン／未接続」、および「オン／接続状態」で動作し得る。「オフ」状態では、Ｗｉ−Ｆｉモデム４１０−ｂは、アンテナ４２０を再構成することなく、２．４ＧＨｚ帯域にわたってアプリケーションによって開始されたスキャン（例えば、ロケーション（location））を行い得る。「オフ状態」にある間のいくつかの場合、Ｗｉ−Ｆｉモデムは、２．４ＧＨｚ帯域または５ＧＨｚ帯域のいずれかにわたって、アプリケーションによって開始されたスキャンを行うために、アンテナ４２０の１つまたは複数へのアクセスを獲得し得る。「オン／未接続」状態では、Ｗｉ−Ｆｉモデム４１０−ｂは、Ｗｉ−Ｆｉスキャニングおよび／またはアプリケーションによって開始されたスキャニングを行うために、アンテナ４２０のうちの１つまたは複数へのアクセスを獲得し得る。「オン／接続」状態では、Ｗｉ−Ｆｉモデム４１０−ｂは、アンテナ４２０−ｅおよび４２０−ｆへの十分なアクセスを有し得、ＬＴＥモデム４０５−ｂは、ＲＬＦを基地局１０５−ｄに宣言し得る。
【００６８】
[0076]  ステップ５６７において、スキャニングトリガ（scanning trigger）は、Ｗｉ−Ｆｉモデム４１０−ｂにおいて、またはＵＥ１１５−ｅでのアプリケーションにおいて開始される。スキャニングトリガが開始された後、Ｗｉ−Ｆｉモデム４１０−ｂは、次回のＷｉ−Ｆｉスキャンのためにスキャニングパラメータを決定し得る。
【００６９】
[0077]  ステップ５６８において、Ｗｉ−Ｆｉモデム４１０−ｂは、決定されたスキャニングパラメータをＬＴＥモデム４０５−ｂに送り得る。スキャニングパラメータは、開始時間およびスキャニング期間に関連するＷｉ−Ｆｉスキャンの持続期間のインディケーションを含み得る。スキャニングパラメータはまた、アンテナ構成を示す情報、フルチューンアウェイ、またはダイバーシティチューンアウェイ動作などを含み得る。いくつかの場合には、スキャニングパラメータは、開始時間のみを含み、ＬＴＥモデム４０５−ｂは、いつＷｉ−Ｆｉスキャンが終了するかを決定する。
【００７０】
[0078]  ステップ５７１において、スキャニング期間５７３−ａが始まり、アンテナ４２０−ｅおよび４２０−ｆは、ＬＴＥモデム４０５−ｂとＷｉ−Ｆｉモデム４０５−ｂとの間で再構成される。一例では、「ダイバーシティチューンアウェイ」モードと呼ばれ得るものにおいて、Ｗｉ−Ｆｉモデム４１０−ｂは、アンテナ４２０−ｆを制御し、一方、ＬＴＥモデム４０５−ｂは、アンテナ４２０−ｅの制御を保持する。この方法では、ＬＴＥモデム４０５−ａは、アンテナ４２０−ｅを通して基地局１０５−ｄとの接続を保持し得、一方、Ｗｉ−Ｆｉモデム４１０−ｂは、並列して共有帯域をスキャンすることができる。いくつかの場合には、アンテナ４２０−ｅは、ＬＴＥモデム４０５−ｂのための一次アンテナであり、一方、他の場合には、それは二次アンテナである。Ｗｉ−Ｆｉモデム４１０−ａが両方のアンテナを制御する場合（例えば、「フルチューンアウェイ」モード）には、ＬＴＥモデム４０５−ａはさらに、共有帯域にわたるＬＴＥ通信を休止するために、ＲＬＦを基地局１０５−ｄに宣言し得る。
【００７１】
[0079]  ステップ５７４において、Ｗｉ−Ｆｉモデム４１０−ｂは、決定したスキャニングパラメータに基づいて、アンテナ４２０−ｆを介して共有帯域にわたるＷｉ−Ｆｉスキャンを行い得る。Ｗｉ−Ｆｉモデム４１０−ｂは、利用可能なＡＰについてのスキャニング期間５７３−ａ中に、共有帯域中の複数のチャネルをスキャンし得る。利用可能なＡＰが識別されない場合、Ｗｉ−Ｆｉモデム４１０−ｂは、スキャニング期間５７３−ａの終わりに、アンテナ４２０−ｆの制御をＬＴＥモデム４０５−ａに戻す。
【００７２】
[0080]  ステップ５７９において、スキャニング期間５７３−ａが終わり、アンテナ４２０−ｅおよび４２０−ｆは、ＬＴＥモデム４０５−ｂが両方のアンテナを制御するように、再構成される。モデムは、アンテナを共有し続け、Ｗｉ−Ｆｉモデム４１０−ｂによって決定されたインターバルおよびスキャニング期間においてＷｉ−Ｆｉスキャンを行い得る。
【００７３】
[0081]  ステップ５８２において、Ｗｉ−Ｆｉモデム４１０−ｂは、スキャニングパラメータの別のセットをＬＴＥモデム４０５−ｂに送り得る。スキャニングパラメータのこのセットは、開始時間およびスキャニング持続期間に沿って、Ｗｉ−Ｆｉモデム４１０−ｂが両方のアンテナ４２０での共有スペクトルをスキャンし得ることを、ＬＴＥモデム４０５−ｂに示し得る。
【００７４】
[0082]  ステップ５８３において、ＬＴＥモデム４０５−ｂは、スキャニング期間５７３−ｂの前にＲＬＦを基地局１０５−ｄに宣言する。これは、次回のＷｉ−Ｆｉスキャンと干渉し得る、基地局１０５−ｄとＵＥ１１５−ｅとの間のさらなる通信を回避し得る。
【００７５】
[0083]  ステップ５８５において、スキャニング期間５７３−ｂが始まり、Ｗｉ−Ｆｉモデム４１０−ｂは、両方のアンテナ４２０−ｅおよびアンテナ４２０−ｆを制御する。
【００７６】
[0084]  ステップ５８８において、Ｗｉ−Ｆｉモデム４１０−ｂは、両方のアンテナを使用して、共有帯域にわたるＷｉ−Ｆｉスキャンを行う。Ｗｉ−Ｆｉモデム４１０−ｂは、利用可能なＡＰとしてＡＰ１５０−ｄを識別し、関連付けおよび／または接続プロシージャ（association and/or connection procedures）を始める。いくつかの場合には、Ｗｉ−Ｆｉモデム４１０−ｂは、スキャニング期間の終わり付近にＡＰ１５０−ｄを識別し得、ＡＰ１５０−ｄとの関連付けおよびＡＰ１５０−ｄとの接続を行うプロセスは、中断される。この場合、Ｗｉ−Ｆｉモデム４１０−ｂは、後続のスキャニング期間において接続プロシージャを再開し得る。
【００７７】
[0085]  ステップ５９１において、Ｗｉ−Ｆｉモデム４１０−ｂは、ＡＰ１５０−ｃを識別することおよびＡＰ１５０−ｃに接続することに基づいて、両方のアンテナ４２０にわたる制御を保持し得る。ＬＴＥモデム４０５−ｂは、アンテナ４２０へのアクセスを回復することを試みず、ＵＥ１１５−ｅは、ＡＰ１５０−ｄとの通信を始める。Ｗｉ−Ｆｉモデム４１０−ａがダイバーシティチューンアウェイプロシージャ中にＡＰ１５０−ｃを識別する場合、Ｗｉ−Ｆｉモデム４１０−ａは、両方のアンテナ４２０に同様に結合する。
【００７８】
[0086]  図５Ａまたは５Ｂのいずれかからの特徴は、異なる順序で組み合わせられるか、削除されるか、または行われ得る。例えば、ＵＥ１１５は、スキャニングトリガに基づいて、ＬＴＥ向けの共有およびＷｉ−Ｆｉ向けの共有の態様を利用し得る。ＵＥ１１５はさらに、フルチューンアウェイおよびダイバーシティチューンアウェイプロシージャの異なる組み合わせを使用し得る。一例では、ＵＥ１１５は、（例えば、「オン／未接続」状態にあるＷｉ−Ｆｉモデムのスキャニング）局によって開始されたスキャニング（station initiated scanning）のためのＬＴＥ向けの共有を使用し、アプリケーションによって開始されたロケーションスキャニングを２．４ＧＨｚ帯域に制限し得る。ＵＥ１１５はさらに、オーバーヘッドを低減し、基地局との接続を維持するために、ダイバーシティチューンアウェイおよびロングチューンアウェイ期間を利用し得る。
【００７９】
[0087]  別の例では、アプリケーションによって開始されたスキャニングは、Ｗｉ−Ｆｉに向けられ得、一方、局によって開始されたスキャニングは、ＬＴＥ−Ｕに向けられ得る。別の例では、局によって開始されたスキャニングは、Ｗｉ−Ｆｉに向けられ、一方、アプリケーションによって開始されたロケーションスキャニングは、２．４ＧＨｚ帯域に制限される。さらに別の例では、局によって開始されたスキャニングについて、ＬＴＥモデムがチューンアウェイ期間の開始を決定し、Ｗｉ−Ｆｉモデムがチューンアウェイ期間の終了を決定する一方、アプリケーションによって開始されたスキャニングは、２．４ＧＨｚ帯域に制限される。さらに別の例では、スキャニングは、Ｗｉ−Ｆｉ向けのものであり得るが、ＬＴＥモデムは、チューンアウェイのためにＷｉ−Ｆｉモデムからの要求を拒否し得る。さらに別の例では、チューンアウェイ期間の始まりは、Ｗｉ−Ｆｉモデムによって決定され、チューンアウェイ期間の長さは、ＬＴＥモデムによって決定される。これらのハイブリッドアプローチのいずれかは、フルチューンアウェイ、ダイバーシティチューンアウェイ、ロングチューンアウェイ、および複数のショートチューンアウェイモードの任意の組み合わせを利用し得る。さらに、これらのアプローチのうちの任意のものは、クロスアンテナまたは共有一次アンテナ構成（cross antenna or a share primary antenna configuration）のいずれかで利用され得る。
【００８０】
[0088]  図６は、本開示の様々な態様に従った、デュアルアンテナ共有を用いた共有帯域にわたる共存のために構成されたワイヤレスデバイス６００のブロック図を示す。ワイヤレスデバイス６００は、図１−５Ｂを参照して説明されるＵＥ１１５の態様の例であり得る。ワイヤレスデバイス６００は、受信機６０５、共存モジュール（coexistence module）６１０、または送信機６１５を含み得る。ワイヤレスデバイス６００はまた、プロセッサを含み得る。これらのコンポーネントの各々は、互いと通信状態にあり得る。
【００８１】
[0089]  受信機６０５は、様々な情報チャネル（例えば、デュアルアンテナ共有などを用いた共有帯域にわたる共存に関連した、制御チャネル、データチャネル、および情報など）に関連するパケット、ユーザデータ、または制御情報のような情報を受信し得る。情報は、共存モジュール６１０に、およびワイヤレスデバイス６００の他のコンポーネントに渡され得る。
【００８２】
[0090]  共存モジュール６１０は、ワイヤレスデバイスの第１のモデムにおいて、ワイヤレスデバイスの第２のモデムからＷＬＡＮスキャニングパラメータを受信することと、ここにおいて、第１のモデムは、第１のＲＡＴに関連し、第２のモデムは、第２のＲＡＴに関連し、ＷＬＡＮスキャニングパラメータに少なくとも部分的に基づいて、第１のモデムと第２のモデムとの間の複数のアンテナの配分を修正することと、複数のアンテナの配分に少なくとも部分的に基づいて、第１のモデムおよび第２のモデムによって共有された帯域中のチャネル上でＷＬＡＮスキャンを行うことと、を行い得る。
【００８３】
[0091]  送信機６１５は、ワイヤレスデバイス６００の他のコンポーネントから受信された信号を送信し得る。いくつかの例では、送信機６１５は、トランシーバモジュール中で受信機６０５と一緒に配置（collocate）され得る。送信機６１５は、単一のアンテナを含み得るか、または複数のアンテナを含み得る。
【００８４】
[0092]  図７は、本開示の様々な態様に従った、デュアルアンテナ共有を用いた共有帯域にわたる共存のためのワイヤレスデバイス７００のブロック図を示す。ワイヤレスデバイス７００は、図１−６を参照して説明されたワイヤレスデバイス６００またはＵＥ１１５の態様の例であり得る。ワイヤレスデバイス７００は、受信機６０５−ａ、共存モジュール６１０−ａ、または送信機６１５−ａを含み得る。ワイヤレスデバイス７００はまた、プロセッサを含み得る。これらのコンポーネントの各々は、互いと通信状態にあり得る。共存モジュール６１０−ａはまた、通信マネージャ（communication manager）７０５、アンテナ構成マネージャ（antenna configuration manager）７１０、およびチャネルスキャナ（channel scanner）７１５も含み得る。
【００８５】
[0093]  受信機６０５−ａは、共存モジュール６１０−ａに、およびワイヤレスデバイス７００の他のコンポーネントに渡され得る情報を受信し得る。共存モジュール６１０−ａは、図６を参照して説明された動作を行い得る。送信機６１５−ａは、ワイヤレスデバイス７００の他のコンポーネントから受信された信号を送信し得る。
【００８６】
[0094]  通信マネージャ７０５は、図２−５を参照して説明されるような、ワイヤレスデバイスの第１のモデムにおいて、ワイヤレスデバイスの第２のモデムからＷＬＡＮスキャニングパラメータを受信し得、ここにおいて、第１のモデムは、第１のＲＡＴに関連し、第２のモデムは、第２のＲＡＴに関連する。いくつかの例では、第１のモデムは、ＷＬＡＮモデムを備え、第２のモデムは、セルラモデムを備え、ＷＬＡＮスキャンは、ＷＬＡＮモデムによって行われ得る。通信マネージャ７０５はまた、セルラモデムによって、ＷＬＡＮモデムの状態に少なくとも部分的に基づいて、ＷＬＡＮスキャニングパラメータをＷＬＡＮモデムに送信し得る。いくつかの例では、第１のモデムは、セルラモデムを備え、第２のモデムは、ＷＬＡＮモデムを備える。通信マネージャ７０５はまた、ＷＬＡＮスキャニングトリガを検出し得る。通信マネージャ７０５はまた、ＷＬＡＮモデムにおいて、セルラモデムからＷＬＡＮスキャニングパラメータを受信し得る。
【００８７】
[0095]  アンテナ構成マネージャ７１０は、図２−５を参照して説明されるように、ＷＬＡＮスキャニングパラメータに少なくとも部分的に基づいて、第１のモデムと第２のモデムとの間の複数のアンテナの配分を修正し得る。いくつかの例では、第１のモデムと第２のモデムとの間の複数のアンテナの配分を修正することは、ＷＬＡＮスキャンのためにダイバーシティアンテナチューンアウェイを行うことを備える。いくつかの例では、第１のモデムと第２のモデムとの間の複数のアンテナの配分を修正することは、複数のアンテナのサブセットを、第１の期間中にＷＬＡＮモデムに結合し、第２の期間中にセルラモデムに結合することを備える。いくつかの例では、複数のアンテナの配分を修正することは、複数のアンテナのサブセットを、第１の期間中にセルラモデムから切り離すことを備える。いくつかの例では、複数のアンテナの配分を修正することは、複数のアンテナのサブセットを、第２の期間中にＷＬＡＮモデムから切り離すことを備える。いくつかの例では、複数のアンテナの配分を修正することは、複数のアンテナのサブセットを、ＷＬＡＮスキャンの示された持続期間の間、ＷＬＡＮモデムに結合することを備える。アンテナ構成マネージャ７１０はまた、複数のアンテナのサブセットを、ＷＬＡＮスキャンの示された持続期間の間、セルラモデムから切り離し得る。アンテナ通信マネージャ７１０はまた、検出されたＷＬＡＮスキャニングトリガが、ワイヤレスデバイスのアプリケーションから生じるか、ワイヤレスデバイスのＷＬＡＮモデムから生じるかに少なくとも部分的に基づいて、ワイヤレスデバイスのセルラモデムとワイヤレスデバイスのＷＬＡＮモデムとの間の複数のアンテナの配分を選択し得る。いくつかの例では、複数のアンテナの配分を選択することは、ＷＬＡＮスキャニングトリガがＷＬＡＮモデムから生じる場合、複数のアンテナのサブセットをセルラモデムから切り離し、複数のアンテナのサブセットをＷＬＡＮモデムに結合することを備える。いくつかの例では、複数のアンテナの配分を選択することは、スキャニングトリガがワイヤレスデバイスのアプリケーションから生じる場合、現在のアンテナ構成を維持することを備える。
【００８８】
[0096]  チャネルスキャナ７１５は、図２−５を参照して説明されるように、複数のアンテナの配分に少なくとも部分的に基づいて、第１のモデムおよび第２のモデムによって共有された帯域にわたる１つまたは複数のチャネル上でＷＬＡＮスキャンを行い得る。チャネルスキャナ７１５はまた、ＷＬＡＮスキャンの持続期間が第１の期間よりも短いとのＷＬＡＮモデムによる決定に少なくとも部分的に基づいて、ＷＬＡＮスキャンを行い得る。いくつかの例では、ＷＬＡＮスキャンは、ＷＬＡＮモデムによって行われ得る。チャネルスキャナ７１５はまた、ワイヤレスデバイスのＷＬＡＮモデムを使用して、共有帯域内のチャネル上でＷＬＡＮスキャンを行い得る。チャネルスキャナ７１５はまた、検出されたＷＬＡＮスキャニングトリガが、ワイヤレスデバイスのアプリケーションから生じるか、ワイヤレスデバイスのＷＬＡＮモデムから生じるかに少なくとも部分的に基づいて、ＷＬＡＮスキャンのための帯域を選択し得る。いくつかの例では、ＷＬＡＮスキャンは、複数のアンテナのサブセットを使用して行われ得る。いくつかの例では、ＷＬＡＮスキャンは、ＷＬＡＮモデムから生じるＷＬＡＮスキャニングトリガに少なくとも部分的に基づいて、セルラモデムからのＷＬＡＮスキャニングパラメータを使用して行われ得る。
【００８９】
[0097]  図８は、本開示の様々な態様に従った、デュアルアンテナ共有を用いた共有帯域にわたる共存のためのワイヤレスデバイス６００またはワイヤレスデバイス７００のコンポーネントであり得る共存モジュール６１０−ｂのブロック図８００を示す。共存モジュール６１０−ｂは、図６−７を参照して説明された共存モジュール６１０の態様の例であり得る。共存モジュール６１０−ｂは、通信マネージャ７０５、アンテナ構成マネージャ７１０−ａ、およびチャネルスキャナ７１５−ａを含み得る。これらのモジュールの各々は、図７を参照して説明される機能を行い得る。共存モジュール６１０−ｂはまた、モデムモニタ（modem monitor）８０５、パラメータ生成器（parameter generator）８１０を含み得る。
【００９０】
[0098]  モデムモニタ８０５は、図２−５Ｂを参照して説明されるように、セルラモデムにおいてＷＬＡＮモデムの状態を決定し得る。
【００９１】
[0099]  パラメータ生成器８１０は、図２−５Ｂを参照して説明されるように、ＷＬＡＮスキャニングパラメータがＷＬＡＮスキャンの開始時間および持続期間のインディケーションを含み得るように、構成され得る。いくつかの例では、ＷＬＡＮスキャニングパラメータは、ＷＬＡＮスキャンに関連するデューティーサイクルと、複数のアンテナの修正された配分とを備える。パラメータ生成器８１０はまた、ＷＬＡＮモデムによる前のＷＬＡＮスキャンに少なくとも部分的に基づいて、セルラモデムにおけるデューティーサイクルを決定し得る。いくつかの例では、デューティーサイクルは、第１の期間と第２の期間とを示す。いくつかの例では、ＷＬＡＮスキャニングパラメータは、ＷＬＡＮスキャンの開始時間および持続期間のインディケーションを備える。
【００９２】
[0100]  図９は、本開示の様々な態様に従った、デュアルアンテナ共有を用いた共有帯域にわたる共存のために構成されたＵＥ１１５を含むシステム９００の図を示す。システム９００は、ＵＥ１１５−ｆを含み得、それは、図１、２、および６−８を参照して説明されたワイヤレスデバイス６００、ワイヤレスデバイス７００、またはＵＥ１１５の例であり得る。ＵＥ１１５−ｆは、共存モジュール９１０を含み得、それは、図６−８を参照して説明された共存モジュール６１０の例であり得る。ＵＥ１１５−ｆはまた、通信を送信するためのコンポーネントおよび通信を受信するためのコンポーネントを含む、双方向音声およびデータ通信のためのコンポーネントを含み得る。例えば、ＵＥ１１５−ｆは、基地局１０５−ｅまたはＡＰ１１５−ｅと双方向に通信し得る。
【００９３】
[0101]  ＵＥ１１５−ｆはまた、プロセッサ９０５、およびメモリ９１５（ソフトウェア（ＳＷ）９２０を含む）、トランシーバ９３５、および１つまたは複数のアンテナ９４０を含み得、それらの各々は、直接的にまたは間接的に、（例えば、バス９４５を介して）互いと通信し得る。トランシーバ９３５は、上述されたように、アンテナ９４０あるいはワイヤードまたはワイヤレスリンクを介して、１つまたは複数のネットワークと双方向に通信し得る。例えば、トランシーバ９３５は、基地局１０５または別のＵＥ１１５と双方向に通信し得る。トランシーバ９３５は、パケットを変調し、送信のために変調されたパケットをアンテナ９４０に提供し、アンテナ９４０から受信されたパケットを復調するためのモデムを含み得る。ＵＥ１１５−ｆは、単一のアンテナ９４０を含み、一方、ＵＥ１１５−ｆは、複数のワイヤレス送信を同時に送信または受信することが可能な複数のアンテナ９４０も有し得る。
【００９４】
[0102]  ＵＥ１１５−ｆはまた、セルラモデム９５０およびＷＬＡＮモデム９５５を含み得る。各モデムは、共存モジュール９１０の態様と結合され得る。いくつかの場合には、共存モジュール９１０の態様は、それ自体のセルラモデム９５０とＷＬＡＮモデム９５５に組み込まれ得る。セルラモデム９５０およびＷＬＡＮモデム９５５は、図１−５Ｂを参照して上述されるようなアンテナ９４０を構成し得る。
【００９５】
[0103]  メモリ９１５は、ランダムアクセスメモリ（ＲＡＭ）および読取専用メモリ（ＲＯＭ）を含み得る。メモリ９１５は、実行されると、プロセッサ９０５に、本明細書に説明される様々な機能（例えば、デュアルアンテナ共有を用いた共有帯域にわたる共存など）行わせる命令を含む、コンピュータ可読、コンピュータ実行可能ソフトウェア／ファームウェアコード９２０を記憶し得る。代替的に、ソフトウェア／ファームウェアコード９２０は、プロセッサ９０５によって直接実行可能ではない可能性があるが、（例えば、コンパイルおよび実行されたときに）コンピュータに、本明細書に説明される機能を行わせ得る。プロセッサ９０５は、インテリジェントハードウェアデバイス、（例えば、中央処理ユニット（ＣＰＵ）、マイクロコントローラ、特定用途向け集積回路（ＡＳＩＣ）など）を含み得る。
【００９６】
[0104]  ワイヤレスデバイス６００、ワイヤレスデバイス７００、および共存モジュール６１０−ｂのコンポーネントは、個々にまたは集合的に、ハードウェアにおいて適用可能な機能のうちのいくつかまたは全てを行うように適応された少なくとも１つのＡＳＩＣを用いて実装され得る。代替的に、機能は、少なくとも１つのＩＣ上で、１つまたは複数の他の処理ユニット（あるいはコア）によって行われ得る。他の例では、他のタイプの集積回路が使用され得（例えば、ストラクチャード／プラットフォームＡＳＩＣ、フィールドプログラマブルゲートアレイ（ＦＰＧＡ）、または別のセミカスタムＩＣ）、それらは、当該技術分野において知られている任意の方式でプログラムされ得る。各ユニットの機能はまた、全体的にあるいは部分的に、メモリ中で具現化された命令で実装され、１つまたは複数の汎用または特定用途向けプロセッサによって実行されるようにフォーマットされ得る。
【００９７】
[0105]  図１０は、本開示の様々な態様に従った、デュアルアンテナ共有を用いた共有帯域にわたる共存のための方法１０００を図示するフローチャートを示す。方法１０００の動作は、図１−９を参照して説明されるように、ＵＥ１１５またはそのコンポーネントによって実装され得る。例えば、方法１０００の動作は、図６−９を参照して説明されるように、共存モジュール６１０によって行われ得る。いくつかの例では、ＵＥ１１５は、以下に説明される機能を行うためのＵＥ１１５の機能的要素を制御するために、コードのセットを実行し得る。追加的にまたは代替的に、ＵＥ１１５は、専用ハードウェアを使用する以下に説明される機能の態様を行い得る。
【００９８】
[0106]  ブロック１００５において、図２−５Ｂを参照して説明されるように、ＵＥ１１５は、ワイヤレスデバイスの第１のモデムにおいて、ワイヤレスデバイスの第２のモデムからＷＬＡＮスキャニングパラメータを受信し得、ここにおいて、第１のモデムは、第１のＲＡＴに関連し、第２のモデムは、第２のＲＡＴに関連する。ある特定の例において、ブロック１００５の動作は、図７を参照して説明されるような、通信マネージャ７０５によって行われ得る。
【００９９】
[0107]  ブロック１０１０において、図２−５Ｂを参照して説明されるように、ＵＥ１１５は、ＷＬＡＮスキャニングパラメータに少なくとも部分的に基づいて、第１のモデムと第２のモデムとの間の複数のアンテナの配分を修正し得る。ある特定の例では、ブロック１０１０の動作は、図７を参照して説明されるように、アンテナ構成マネージャ７１０によって行われ得る。
【０１００】
[0108]  ブロック１０１５において、ＵＥ１１５は、図２−５Ｂを参照して説明されるように、複数のアンテナの配分に少なくとも部分的に基づいて、第１のモデムおよび第２のモデムによって共有された帯域中のチャネル上でＷＬＡＮスキャンを行い得る。ある特定の例において、ブロック１０１５の動作は、図７を参照して説明されるように、チャネルスキャナ７１５によって行われ得る。
【０１０１】
[0109]  図１１は、本開示の様々な態様に従った、デュアルアンテナ共有を用いた共有帯域にわたる共存のための方法１１００を図示するフローチャートを示す。方法１１００の動作は、図１−９を参照して説明されるように、ＵＥ１１５またはそのコンポーネントによって実装され得る。例えば、方法１１００の動作は、図６−９を参照して説明されるように、共存モジュール６１０によって行われ得る。いくつかの例では、ＵＥ１１５は、以下に説明される機能を行うために、ＵＥ１１５の機能的要素を制御するためのコードのセットを実行し得る。追加的または代替的に、ＵＥ１１５は、専用ハードウェアを使用する以下に説明される機能の態様を行い得る。方法１１００はまた、図１０の方法１０００の態様も組み込み得る。
【０１０２】
[0110]  ブロック１１０５において、ＵＥ１１５は、図２−５Ｂを参照して説明されるように、ＷＬＡＮスキャニングトリガを検出し得る。ある特定の例では、ブロック１１０５の動作は、図７を参照して上述されるように、通信マネージャ７０５によって行われ得る。
【０１０３】
[0111]  ブロック１１１０において、ＵＥ１１５は、図２−５をＢ参照して説明されるように、検出されたＷＬＡＮスキャニングトリガが、ワイヤレスデバイスのアプリケーションから生じるか、ワイヤレスデバイスのＷＬＡＮモデムから生じるかに少なくとも部分的に基づいて、ワイヤレスデバイスのセルラモデムとワイヤレスデバイスのＷＬＡＮモデムとの間の複数のアンテナの配分を選択し得る。ある特定の例では、ブロック１１１０の動作は、図７を参照して説明されるように、アンテナ構成マネージャ７１０によって行われ得る。
【０１０４】
[0112]  ブロック１１１５において、ＵＥ１１５は、図２−５Ｂを参照して説明されるように、ワイヤレスデバイスのＷＬＡＮモデムを使用して、共有帯域内のチャネル上でＷＬＡＮスキャンを行い得る。ある特定の例では、ブロック１１１５の動作は、図７を参照して説明されるように、チャネルスキャナ７１５によって行われ得る。
【０１０５】
[0113]  このように、方法１０００および１１００は、デュアルアンテナ共有を用いた共有帯域にわたる共存のために提供され得る。方法１０００および１１００は、可能性のある実装を説明しており、動作およびステップは、他の実装が可能になるように再配置またはそうでなければ修正され得ることに留意されたい。いくつかの例では、方法１０００および１１００のうちの２つ以上からの態様が組み合され得る。
【０１０６】
[0114]  本明細書での説明は、例を提供しており、特許請求の範囲に記載される、範囲、適用可能性、または例を限定してはいない。変更が、本開示の範囲から逸脱することなく説明される要素の機能および配列でなされ得る。様々な例は、適宜、様々なプロシージャまたはコンポーネントを省略、置換、または追加し得る。また、いくつかの例に関して説明された特徴は、他の例において組み合され得る。
【０１０７】
[0115]  本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような、様々なワイヤレス通信システムのために使用され得る。「システム」および「ネットワーク」という用語は、交換して使用されることが多い。符号分割多元接続（ＣＤＭＡ）システムは、ＣＤＭＡ２０００、ユニバーサル地上無線アクセス（ＵＴＲＡ）などのような無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００ １Ｘ、１Ｘなどと呼ばれる。ＩＳ−８５６（ＴＩＡ−８５６）は、一般に、ＣＤＭＡ２０００ １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他のバリエーションを含む。時分割多元接続（ＴＤＭＡ）システムは、グローバルシステム・フォー・モバイルコミュニケーションズ（ＧＳＭ（登録商標））のような無線技術を実装し得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭなどのような無線技術を実装し得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ）およびロングタームエボリューション（ＬＴＥ）アドバンスト（ＬＴＥ−ａ）は、Ｅ−ＵＴＲＡを使用するユニバーサルモバイル電気通信システム（ＵＭＴＳ）の新しいリリースである。ＵＴＲＡ、Ｅ−ＵＴＲＡ、ユニバーサルモバイル電気通信システム（ＵＭＴＳ）、ＬＴＥ、ＬＴＥ−ａ、およびグローバルシステム・フォー・モバイルコミュニケーションズ（ＧＳＭ）は、「第３世代パートナーシッププロジェクト」（３ＧＰＰ）と名付けられた組織からの文書に説明されている。ＣＤＭＡ２０００およびＵＭＢは、「第３世代パートナーシッププロジェクト２」（３ＧＰＰ２）と名付けられた組織からの文書に説明されている。本明細書で説明される技法は、上述されるシステムおよび無線技術、同様に、他のシステムおよび無線技術のために使用され得る。しかしながら、本明細書での説明は、例示の目的でＬＴＥシステムを説明しており、ＬＴＥの専門用語が上記の説明の大部分で使用されているが、本技法は、ＬＴＥアプリケーションを超えて適用可能である。
【０１０８】
[0116]  本明細書で説明されるこのようなネットワークを含むＬＴＥ／ＬＴＥ−Ａネットワークでは、発展型ノードＢ（ｅＮＢ）という用語は一般に、基地局を説明するために使用され得る。本明細書で説明される１つまたは複数のワイヤレス通信システムは、異なるタイプの発展型ノードＢ(ｅＮＢ）が様々な地理的領域にカバレッジを提供する異種ＬＴＥ／ＬＴＥ−Ａネットワークを含み得る。例えば、各ｅＮＢまたは基地局は、マクロセル、スモールセル、または他のタイプのセルに通信カバレッジを提供し得る。「セル」という用語は、コンテキストに依存して、基地局、基地局に関連するキャリアまたはコンポーネントキャリア、あるいはキャリアまたは基地局のカバレッジエリア（例えば、セクタなど）を説明するために使用されることができる３ＧＰＰ用語である。
【０１０９】
[0117]  基地局は、ベーストランシーバ局、無線基地局、アクセスポイント、無線トランシーバ、ノードＢ、ｅノードＢ（ｅＮＢ）、ホームノードＢ、ホームｅノードＢ、または何らかの他の適切な専門用語で当業者によって呼ばれ得るか、あるいはそれらを含み得る。基地局のための地理的カバレッジエリアは、カバレッジエリアの一部分のみを構成するセクタに分割され得る。本明細書で説明された１つまたは複数のワイヤレス通信システムは、異なるタイプの基地局（例えば、マクロまたはスモールセル基地局）を含み得る。本明細書で説明されるＵＥは、マクロｅＮＢ、スモールセルｅＮＢ、中継基地局などを含む様々なタイプの基地局およびネットワーク機器と通信することが可能であり得る。異なる技術のために重複している地理的カバレッジエリアが存在し得る。
【０１１０】
[0118]  マクロセルは、一般に、比較的大きい地理的エリア（例えば、半径数キロメートル）をカバーし、ネットワークプロバイダにサービス加入しているＵＥによる無制限のアクセスを可能にし得る。スモールセルは、マクロセルと比較すると、マクロセルと同じまたは異なる（例えば、認可済（licensed）、無認可（unlicensed）などの）周波数帯域中で動作し得る、より低電力の基地局である。スモールセルは、様々な例によると、ピコセル、フェムトセル、およびマイクロセルを含み得る。ピコセルは、例えば、小さい地理的エリアをカバーし得、ネットワークプロバイダにサービス加入しているＵＥによる無制限のアクセスを可能にし得る。フェムトセルもまた、小さい地理的エリア（例えば、家）をカバーし得、フェムトセルとの関連付けを有するＵＥ（例えば、クローズド加入者グループ（ＣＳＧ）中のＵＥ、家の中にいるユーザのためのＵＥなど）による制限されたアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つなど）のセル（例えば、コンポーネントキャリア）をサポートし得る。ＵＥは、マクロｅＮＢ、スモールセルｅＮＢ、中継基地局などを含む様々なタイプの基地局およびネットワーク機器と通信することが可能であり得る。
【０１１１】
[0119]  本明細書で説明される１つまたは複数のワイヤレス通信システムは、同期または非同期動作をサポートし得る。同期動作について、基地局は、同様のフレームタイミングを有し、異なる基地局からの送信は、時間で大まかにアライン（align）され得る。非同期動作について、基地局は、異なるフレームタイミングを有し、異なる基地局からの送信は、時間でアラインされない可能性があり得る。本明細書で説明される技法は、同期または非同期動作のいずれかのために使用され得る。
【０１１２】
[0120]  本明細書で説明されるダウンリンク送信は、順方向リンク送信とも呼ばれ得、一方、アップリンク送信は、逆方向リンク送信とも呼ばれ得る。例えば、図１および２のワイヤレス通信システム１００および２００を含む、本明細書で説明される各通信リンクは、１つまたは複数のキャリアを含み得、ここで、各キャリアは、複数のサブキャリア（例えば、異なる周波数の波形信号）で構成される信号であり得る。各変調された信号は、異なるサブキャリア上で送られ得、制御情報（例えば、基準信号、制御チャネルなど）、オーバーヘッド情報、ユーザデータなどを搬送し得る。本明細書で説明される通信リンク（例えば、図１の通信リンク１２５）は、周波数分割複信（ＦＤＤ）動作を使用して（例えば、対にされたスペクトルリソースを使用して）、または時間分割複信(ＴＤＤ)動作を使用して（例えば、対にされていないスペクトルリソースを使用して）、双方向通信を送信し得る。フレーム構造は、周波数分割複信（ＦＤＤ）（例えば、フレーム構造タイプ１）およびＴＤＤ（例えば、フレーム構造タイプ２）のために定義され得る。
【０１１３】
[0121]  添付された図面に関連して本明細書に記載される説明は、例示的な構成を説明しており、実装され得るまたは特許請求の範囲内にある全ての例を表してはいない。本明細書で使用される「例示的な」という用語は、「好ましい」または「他の例より有利である」ということではなく、「例、事例、または例示としての役割を果たすこと」を意味する。詳細な説明は、説明される技法の理解を提供する目的で特定の詳細を含む。しかしながら、これらの技法は、これらの具体的な詳細なしに実施され得る。いくつかの事例では、周知の構造およびデバイスは、説明される例の概念を曖昧にすることを防ぐために、ブロック図形式で示される。
【０１１４】
[0122]  添付された図面では、同様のコンポーネントまたは特徴は、同じ参照ラベルを有し得る。さらに、同じタイプの様々なコンポーネントは、同様のコンポーネント間を区別する、破線による参照ラベルおよび第２のラベルに従って区別され得る。本明細書において第１の参照ラベルのみが使用される場合、第２の参照ラベルに関係なく、同じ第１の参照ラベルを有する同様のコンポーネントのいずれか１つに、説明が適用可能である。
【０１１５】
[0123]  本明細書で説明される情報および信号は、多様な異なる技術および技法のうちの任意のものを使用して表わされ得る。例えば、上記の説明全体を通して参照され得るデータ、命令、コマンド、情報、信号、ビット、シンボル、およびチップは、電圧、電流、電磁波、磁場または磁性粒子、光場または光粒子、あるいはそれらの任意の組み合わせによって表され得る。
【０１１６】
[0124]  本明細書における開示に関連して説明される様々な実例となるブロックおよびモジュールは、汎用プロセッサ、デジタルシグナルプロセッサ（ＤＳＰ）、ＡＳＩＣ、ＦＰＧＡまたは他のプログラマブルロジックデバイス、ディスクリートゲートまたはトランジスタロジック、ディスクリートハードウェアコンポーネント、あるいは本明細書で説明される機能を行うように設計されたそれらの任意の組み合わせを用いて実装されるかまたは行われ得る。汎用プロセッサはマイクロプロセッサであり得るが、代替として、このプロセッサは、任意の従来のプロセッサ、コントローラ、マイクロコントローラ、またはステートマシンであり得る。プロセッサはまた、コンピューティングデバイスの組み合わせ（例えば、デジタルシグナルプロセッサ（ＤＳＰ）およびマイクロプロセッサの組み合わせ、複数のマイクロプロセッサ、ＤＳＰコアと連携した１つまたは複数のマイクロプロセッサ、あるいは任意の他のそのような構成）として実装され得る。
［0125］  本明細書で説明される機能は、ハードウェア、プロセッサによって実行されるソフトウェア、ファームウェア、またはそれらの任意の組み合わせにおいて実装され得る。プロセッサによって実行されるソフトウェアに実装される場合、これらの機能は、コンピュータ可読媒体上で、１つまたは複数の命令またはコードとして送信または記憶され得る。他の例および実装は、本開示および添付された特許請求の範囲内にある。例えば、ソフトウェアの性質に起因して、上述される機能は、プロセッサによって実行されるソフトウェア、ハードウェア、ファームウェア、ハードワイヤリング、またはこれらの任意の組み合わせを使用して実装され得る。機能を実装する特徴はまた、機能の一部が、異なる物理的ロケーションで実装されるように配置されることを含む、様々な位置に物理的に位置付けられる。また、特許請求の範囲を含め、本明細書で使用される場合、項目のリスト（例えば、「〜のうちの少なくとも１つ」または「〜のうちの１つまたは複数」のようなフレーズで始まる項目のリスト）中で使用される「または（or）」は、例えば、Ａ、Ｂ、またはＣのうちの少なくとも１つのリストが、Ａ、Ｂ、Ｃ、ＡとＢ、ＡとＣ、ＢとＣ、ＡとＢとＣ（すなわち、Ａ、Ｂ、およびＣ）を意味するような、包含的なリストを示す。
【０１１７】
[0126]  コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用または特殊用途コンピュータによってアクセスされることができる任意の利用可能な媒体であり得る。制限されないが、例として、非一時的コンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは命令またはデータ構造の形態で所望されたプログラムコード手段を搬送または記憶するために使用されることができ、汎用または特殊用途コンピュータ、もしくは汎用または特殊用途プロセッサによってアクセスされることができる、任意の他の非一時的媒体を備え得る。また、任意の接続は、厳密にはコンピュータ可読媒体と称される。例えば、ソフトウェアが、同軸ケーブル、光ファイバケーブル、ツイストペア、デジタル加入者線（ＤＳＬ）、または赤外線、無線、およびマイクロ波のようなワイヤレス技術を使用して、ウェブサイト、サーバ、または他のリモートソースから送信される場合、同軸ケーブル、光ファイバケーブル、ツイストペア、デジタル加入者線（ＤＳＬ）、または赤外線、無線、およびマイクロ波のようなワイヤレス技術は、媒体の定義に含まれる。本明細書で使用されるような、ディスク（disk）およびディスク（disc）は、ＣＤ、レーザーディスク（登録商標）、光ディスク、デジタル多目的ディスク（ＤＶＤ）、フロッピー（登録商標）ディスクおよびブルーレイ（登録商標）ディスクを含み、ここで、ディスク（disks）は、通常磁気的にデータを再生し、一方ディスク（discs）は、レーザーを用いて光学的にデータを再生する。上記の組み合わせもまた、コンピュータ可読媒体の範囲内に含まれる。
【０１１８】
[0127]  本明細書における説明は、当業者が本開示を製造または使用することを可能にするために提供される。本開示への様々な修正は、当業者にとって容易に明らかであり、本明細書に定義される一般的な原理は、本開示の範囲から逸脱することなく、他のバリエーションにも適用され得る。よって、本開示は、本明細書で説明される例および設計に制限されるものではなく、本明細書に開示される原理および新規な特徴に合致する最も広い範囲が与えられるべきものである。
以下に本願の出願当初の特許請求の範囲に記載された発明を付記する。
［Ｃ１］
複数のアンテナを備えるワイヤレスデバイスにおけるワイヤレス通信の方法であって、
前記ワイヤレスデバイスの第１のモデムにおいて、前記ワイヤレスデバイスの第２のモデムからワイヤレスローカルエリアネットワーク（ＷＬＡＮ）スキャニングパラメータを受信することと、ここにおいて、前記第１のモデムは、第１の無線アクセス技術（ＲＡＴ）に関連し、前記第２のモデムは、第２のＲＡＴに関連し、
前記ＷＬＡＮスキャニングパラメータに少なくとも部分的に基づいて、前記第１のモデムと前記第２のモデムとの間の前記複数のアンテナの配分を修正することと、
前記複数のアンテナの前記配分に少なくとも部分的に基づいて、前記第１のモデムおよび前記第２のモデムによって共有された帯域中のチャネル上でＷＬＡＮスキャンを行うことと
を備える、方法。
［Ｃ２］
前記第１のモデムと前記第２のモデムとの間の前記複数のアンテナの前記配分を修正することは、
前記ＷＬＡＮスキャンのためにダイバーシティアンテナチューンアウェイを行うこと
を備える、Ｃ１に記載の方法。
［Ｃ３］
前記第１のモデムは、ＷＬＡＮモデムを備え、前記第２のモデムは、セルラモデムを備え、前記ＷＬＡＮスキャンは、前記ＷＬＡＮモデムによって行われる、Ｃ１に記載の方法。
［Ｃ４］
前記セルラモデムにおいて前記ＷＬＡＮモデムの状態を決定することと、
前記セルラモデムによって、前記ＷＬＡＮモデムの前記状態に少なくとも部分的に基づいて、前記ＷＬＡＮスキャニングパラメータを前記ＷＬＡＮモデムに送信することと
さらに備える、Ｃ３に記載の方法。
［Ｃ５］
前記ＷＬＡＮスキャニングパラメータは、前記ＷＬＡＮスキャンの開始時間および持続期間のインディケーションを備える、Ｃ３に記載の方法。
［Ｃ６］
前記ＷＬＡＮスキャニングパラメータは、前記ＷＬＡＮスキャンに関連するデューティーサイクルと、前記複数のアンテナの前記修正された配分とを備える、Ｃ３に記載の方法。
［Ｃ７］
前記ＷＬＡＮモデムによる前のＷＬＡＮスキャンに少なくとも部分的に基づいて、前記セルラモデムにおいて前記デューティーサイクルを決定すること
をさらに備える、Ｃ６に記載の方法。
［Ｃ８］
前記デューティーサイクルは、第１の期間と第２の期間とを示し、前記第１のモデムと前記第２のモデムとの間の前記複数のアンテナの前記配分を修正することは、
前記複数のアンテナのサブセットを、前記第１の期間中に前記ＷＬＡＮモデムに結合し、前記第２の期間中に前記セルラモデムに結合することと
を備える、Ｃ６に記載の方法。
［Ｃ９］
前記ＷＬＡＮスキャンを行うことは、前記ＷＬＡＮスキャンの持続期間が前記第１の期間よりも短いとの前記ＷＬＡＮモデムによる決定に少なくとも部分的に基づく、Ｃ８に記載の方法。
［Ｃ１０］
前記複数のアンテナの前記配分を修正することは、
前記複数のアンテナの前記サブセットを、前記第１の期間中に前記セルラモデムから切り離すことを備え、
前記複数のアンテナの前記配分を修正することは、
前記複数のアンテナの前記サブセットを、前記第２の期間中に前記ＷＬＡＮモデムから切り離すことを備える、
Ｃ８に記載の方法。
［Ｃ１１］
前記第１のモデムは、セルラモデムを備え、前記第２のモデムは、ＷＬＡＮモデムを備え、
前記ＷＬＡＮスキャンは、前記ＷＬＡＮモデムによって行われる、Ｃ１に記載の方法。
［Ｃ１２］
前記ＷＬＡＮスキャニングパラメータは、前記ＷＬＡＮスキャンの開始時間および持続期間のインディケーションを備える、Ｃ１１に記載の方法。
［Ｃ１３］
前記複数のアンテナの前記配分を修正することは、
前記複数のアンテナのサブセットを、前記ＷＬＡＮスキャンの前記示された持続期間の間、前記ＷＬＡＮモデムに結合することと
を備える、Ｃ１１に記載の方法。
［Ｃ１４］
前記複数のアンテナの前記サブセットを、前記ＷＬＡＮスキャンの前記示された持続期間の間、前記セルラモデムから切り離すこと
をさらに備える、Ｃ１３に記載の方法。
［Ｃ１５］
複数のアンテナを備えるワイヤレスデバイスにおけるワイヤレス通信の方法であって、
ＷＬＡＮスキャニングトリガを検出することと、
前記検出されたＷＬＡＮスキャニングトリガが、前記ワイヤレスデバイスのアプリケーションから生じるか、前記ワイヤレスデバイスのＷＬＡＮモデムから生じるかに少なくとも部分的に基づいて、前記ワイヤレスデバイスのセルラモデムと前記ワイヤレスデバイスのＷＬＡＮモデムとの間の前記複数のアンテナの配分を選択することと、
前記ワイヤレスデバイスの前記ＷＬＡＮモデムを使用して、共有帯域中のチャネル上でＷＬＡＮスキャンを行うことと
を備える、方法。
［Ｃ１６］
前記検出されたＷＬＡＮスキャニングトリガが、前記ワイヤレスデバイスの前記アプリケーションから生じるか、前記ワイヤレスデバイスの前記ＷＬＡＮモデムから生じるかに少なくとも部分的に基づいて、前記ＷＬＡＮスキャンのための帯域を選択することと
をさらに備える、Ｃ１５に記載の方法。
［Ｃ１７］
前記複数のアンテナの前記配分を選択することは、
前記ＷＬＡＮスキャニングトリガが前記ＷＬＡＮモデムから生じる場合、前記複数のアンテナのサブセットを前記セルラモデムから切り離し、前記複数のアンテナの前記サブセットを前記ＷＬＡＮモデムに結合すること
を備える、Ｃ１５に記載の方法。
［Ｃ１８］
前記ＷＬＡＮスキャンは、前記複数のアンテナの前記サブセットを使用して行われる、Ｃ１７に記載の方法。
［Ｃ１９］
前記ＷＬＡＮモデムにおいて、前記セルラモデムからＷＬＡＮスキャニングパラメータを受信すること
をさらに備え、
前記ＷＬＡＮスキャンは、前記ＷＬＡＮモデムから生じる前記ＷＬＡＮスキャニングトリガに少なくとも部分的に基づいて、前記セルラモデムからの前記ＷＬＡＮスキャニングパラメータを使用して行われる、Ｃ１７に記載の方法。
［Ｃ２０］
前記複数のアンテナの前記配分を選択することは、
前記スキャニングトリガが前記ワイヤレスデバイスの前記アプリケーションから生じる場合、現在のアンテナ構成を維持すること
を備える、Ｃ１５に記載の方法。
［Ｃ２１］
複数のアンテナを備えるワイヤレスデバイスにおけるワイヤレス通信のための装置であって、
前記ワイヤレスデバイスの第１のモデムにおいて、前記ワイヤレスデバイスの第２のモデムからワイヤレスローカルエリアネットワーク（ＷＬＡＮ）スキャニングパラメータを受信するための手段と、ここにおいて、前記第１のモデムは、第１の無線アクセス技術（ＲＡＴ）に関連し、前記第２のモデムは、第２のＲＡＴに関連し、
前記ＷＬＡＮスキャニングパラメータに少なくとも部分的に基づいて、前記第１のモデムと前記第２のモデムとの間の前記複数のアンテナの配分を修正するための手段と、
前記複数のアンテナの前記配分に少なくとも部分的に基づいて、前記第１のモデムおよび前記第２のモデムによって共有された帯域中のチャネル上でＷＬＡＮスキャンを行うための手段と
を備える、装置。
［Ｃ２２］
前記第１のモデムと前記第２のモデムとの間の前記複数のアンテナの前記配分を修正するための前記手段は、
前記ＷＬＡＮスキャンのためにダイバーシティアンテナチューンアウェイを行うための手段
を備える、Ｃ２１に記載の装置。
［Ｃ２３］
前記第１のモデムは、ＷＬＡＮモデムを備え、前記第２のモデムは、セルラモデムを備える、Ｃ２１に記載の装置。
［Ｃ２４］
前記セルラモデムにおいてＷＬＡＮモデムの状態を決定するための手段と、
前記セルラモデムによって、前記ＷＬＡＮモデムの前記状態に少なくとも部分的に基づいて、前記ＷＬＡＮスキャニングパラメータを前記ＷＬＡＮモデムに送信するための手段と
さらに備える、Ｃ２３に記載の装置。
［Ｃ２５］
前記ＷＬＡＮスキャニングパラメータは、前記ＷＬＡＮスキャンの開始時間および持続期間のインディケーションを備える、Ｃ２３に記載の装置。
［Ｃ２６］
複数のアンテナを備えるワイヤレスデバイスにおけるワイヤレス通信のための装置であって、
ＷＬＡＮスキャニングトリガを検出するための手段と、
前記検出されたＷＬＡＮスキャニングトリガが、前記ワイヤレスデバイスのアプリケーションから生じるか、前記ワイヤレスデバイスのＷＬＡＮモデムから生じるかに少なくとも部分的に基づいて、前記ワイヤレスデバイスのセルラモデムと前記ワイヤレスデバイスのＷＬＡＮモデムとの間の前記複数のアンテナの配分を選択するための手段と、
前記ワイヤレスデバイスの前記ＷＬＡＮモデムを使用して、共有帯域中のチャネル上でＷＬＡＮスキャンを行うための手段と
を備える、装置。
［Ｃ２７］
前記検出されたＷＬＡＮスキャニングトリガが、前記ワイヤレスデバイスの前記アプリケーションから生じるか、前記ワイヤレスデバイスの前記ＷＬＡＮモデムから生じるかに少なくとも部分的に基づいて動作可能である、前記ＷＬＡＮスキャンのための帯域を選択するための手段
をさらに備える、Ｃ２６に記載の装置。
［Ｃ２８］
前記複数のアンテナの前記配分を選択するための前記手段は、
前記ＷＬＡＮスキャニングトリガが前記ＷＬＡＮモデムから生じる場合、前記複数のアンテナのサブセットを前記セルラモデムから切り離し、前記複数のアンテナの前記サブセットを前記ＷＬＡＮモデムに結合するための手段
を備える、Ｃ２６に記載の装置。
［Ｃ２９］
前記ＷＬＡＮモデムにおいて、前記セルラモデムからＷＬＡＮスキャニングパラメータを受信するための手段
をさらに備え、
前記ＷＬＡＮスキャンを行うための前記手段は、前記ＷＬＡＮモデムから生じる前記ＷＬＡＮスキャニングトリガに少なくとも部分的に基づいて、前記セルラモデムからの前記ＷＬＡＮスキャニングパラメータを使用するように動作可能である、Ｃ２８に記載の装置。
［Ｃ３０］
前記複数のアンテナの前記配分を選択するための前記手段は、
前記スキャニングトリガが前記ワイヤレスデバイスの前記アプリケーションから生じる場合、現在のアンテナ構成を維持するための手段
を備える、Ｃ２６に記載の装置。
【図１】
0006563529.tif 000002
【図２】
0006563529.tif 000003
【図３】
0006563529.tif 000004
【図４】
0006563529.tif 000005
【図５Ａ】
0006563529.tif 000006
【図５Ｂ】
0006563529.tif 000007
【図６】
0006563529.tif 000008
【図７】
0006563529.tif 000009
【図８】
0006563529.tif 000010
【図９】
0006563529.tif 000011
【図１０】
0006563529.tif 000012
【図１１】
0006563529.tif 000013